(57)【特許請求の範囲】
【請求項１】
プラスチック容器を収納する外部電極と該プラスチック容器の内部に挿脱可能に配置される内部電極並びに該内部電極が該プラスチック容器内に挿入される時に内部電極と外部電極とが絶縁状態となる蓋とからなる密封可能な成膜チャンバーをサークル状に複数配設した回転支持体と、各プラスチック容器の内部にプラズマ化させる原料ガスを導入する原料ガス導入手段と、前記外部電極ごとに高周波を供給する高周波供給手段とを備え、前記回転支持体を１回転させる間に、前記プラスチック容器の容器装着手段、該プラスチック容器の内部を原料ガスに置換するとともに所定の成膜圧力に調整する成膜前ガス調整手段、該プラスチック容器の内表面にＣＶＤ（化学気相成長）膜を成膜するＣＶＤ成膜手段、コーティング済み容器の内部圧力を大気圧に戻す成膜後ガス調整手段並びに容器取出手段の各手段を作動させるロータリー型プラズマＣＶＤ成膜装置であって、
前記高周波供給手段は、前記外部電極ごとに具設した固定整合器と、１以上の高周波電源と、該高周波電源ごとに具設した自動整合器と、前記ＣＶＤ成膜手段を作動させる成膜チャンバーのみに前記固定整合器を介して前記自動整合器から受けた高周波を均等に供給する高周波分配手段と、前記高周波電源のうち、前記ＣＶＤ成膜手段の作動開始時及び作動終了時の状態にある外部電極に対して高周波供給をする高周波電源の出力制御を行なうための高周波電源出力制御手段とを備えることを特徴とするロータリー型量産用ＣＶＤ成膜装置。
【請求項２】
前記高周波分配手段は、高周波を同時且つ均等に分配する分配回路並びに該分配回路の各分配出力のオン/オフを切り換えする切換スイッチとを備えることを特徴とする請求項１記載のロータリー型量産用ＣＶＤ成膜装置。
【請求項３】
前記高周波電源は、前記回転支持体における前記成膜チャンバーの配列順に高周波の供給を順次且つ循環して行なう複数の高周波電源であることを特徴とする請求項１又は２記載のロータリー型量産用ＣＶＤ成膜装置。
【請求項４】
前記切換スイッチの出力側に第２分配回路を接続し、該第２分配回路の各出力と前記各固定整合器を接続して各外部電極に高周波を供給する接続とし、且つ前記第２分配回路で一まとまりの前記成膜チャンバーは、同一円心の円周方向に沿って複数列で前記回転支持体に配置したことを特徴とする請求項２又は３記載のロータリー型量産用ＣＶＤ成膜装置。
【請求項５】
前記回転体支持体に配置した前記成膜チャンバーは、相隣合う所定数の該成膜チャンバーと複数の放電ユニットを形成し、且つ前記高周波分配手段は、前記自動整合器から受けた高周波を前記放電ユニットのいずれか1つに供給する切換器と、該切換器から供給された高周波を前記放電ユニット内の前記固定整合器に同時且つ均等に分配する放電ユニット分配回路とを備えることを特徴とする請求項１記載のロータリー型量産用ＣＶＤ成膜装置。
【請求項６】
前記高周波電源は、前記回転支持体における前記放電ユニットの配列順に高周波の供給を順次且つ循環して行なう複数の高周波電源であることを特徴とする請求項５記載のロータリー型量産用ＣＶＤ成膜装置。
【請求項７】
前記放電ユニットで一まとまりの前記成膜チャンバーは、同一円心の円周方向に沿って複数列で前記回転支持体に配置したことを特徴とする請求項５又は６記載のロータリー型量産用ＣＶＤ成膜装置。
【請求項８】
前記回転体支持体に配置した前記成膜チャンバーは、相隣合う所定数の該成膜チャンバーと複数の放電ユニットを形成し、前記高周波電源の個数は前記放電ユニット内の所定数の成膜チャンバーと同数であり、且つ前記高周波分配手段は前記自動整合器から受けた高周波を前記放電ユニットの個数と同数に分岐させ、いずれか１つの放電ユニットに対してのみ高周波を供給する切換器を備えることを特徴とする請求項１記載のロータリー型量産用ＣＶＤ成膜装置。
【請求項９】
請求項８記載の切換器の出力側は第２分配回路に高周波を供給し、該第２分配回路の各出力側と前記固定整合器とを接続したことを特徴とする請求項８記載のロータリー型量産用ＣＶＤ成膜装置。
【請求項１０】
請求項８又は９記載の放電ユニットで一まとまりの前記成膜チャンバーは、同一円心の円周方向に沿って複数列で前記回転支持体に配置したことを特徴とする請求項８又は９記載のロータリー型量産用ＣＶＤ成膜装置。
【請求項１１】
前記外部電極は、複数の前記プラスチック容器を並列かつそれぞれ独立に収納した状態で収容可能な収納空間を有する一柱体からなる柱状外部電極であり、前記各収納空間の中心軸は、該柱状外部電極の軸心と平行で、かつ前記柱状外部電極の同一断面同一円周上に位置し、前記収納空間は、均等間隔に配置したことを特徴とする請求項１、２、３、４、５、６、７、８、９又は１０記載のロータリー型量産用ＣＶＤ成膜装置。
【請求項１２】
前記高周波電源は、トランジスタ型高周波電源であり、且つ周波数可動式か或いは電子式でマッチングを行なう高周波電源であることを特徴とする請求項１、２、３、４、５、６、７、８、９、１０又は１１記載のロータリー型量産用ＣＶＤ成膜装置。
【請求項１３】
前記ＣＶＤ膜はＤＬＣ（ダイヤモンドライクカーボン）膜であることを特徴とする請求項１、２、３、４、５、６、７、８、９、１０、１１又は１２記載のロータリー型量産用ＣＶＤ成膜装置。
【請求項１４】
プラスチック容器を収納する外部電極と該プラスチック容器の内部に挿脱可能に配置される内部電極並びに該内部電極が該プラスチック容器内に挿入される時に内部電極と外部電極とが絶縁状態となる蓋とからなる密封可能な成膜チャンバー内に前記プラスチック容器を装着する容器装着工程、該プラスチック容器の内部を原料ガスに置換するとともに所定の成膜圧力に調整する成膜前ガス調整工程、前記外部電極に高周波出力を供給して該プラスチック容器内で前記原料ガスをプラズマ化させて該プラスチック容器の内表面にＣＶＤ膜を成膜するＣＶＤ成膜工程、コーティング済み容器の内部圧力を大気圧に戻す成膜後ガス調整工程並びに該コーティング済み容器を取り出す容器取出工程とを有するＣＶＤ膜コーティングプラスチック容器の製造サイクルを、複数の成膜チャンバーにてプラズマの着火状態が一部重複するように所定時間ずらして稼動させることを特徴とするプラスチック容器内表面へのＣＶＤ膜成膜方法。
【請求項１５】
前記成膜前ガス調整工程終了後に高周波電源の出力をオフ状態とし、次いで該高周波電源から前記ＣＶＤ成膜工程へ進む前記成膜チャンバーに対応する外部電極までに至る回路を導通状態とし、次に該高周波電源の出力をオン状態として、該外部電極に高周波を同時且つ均等に該成膜チャンバーでプラズマを着火してＣＶＤ成膜工程を開始させ、
所定成膜時間経過後には前記高周波電源の出力をオフ状態とし、次いで前記回路を遮断状態とし且つ該高周波電源からＣＶＤ成膜工程へ進む次なる成膜チャンバーに対応する外部電極までに至る回路を導通状態とし、次に該高周波電源の出力をオン状態として、前記成膜チャンバーにおいてプラズマを消滅させてＣＶＤ成膜工程を終了させ且つ次なる成膜チャンバーにおいて次なるＣＶＤ成膜工程を開始させることを特徴とする請求項１４記載のプラスチック容器内表面へのＣＶＤ膜成膜方法。
【請求項１６】
プラスチック容器を収納する外部電極と該プラスチック容器の内部に挿脱可能に配置される内部電極並びに該内部電極が該プラスチック容器内に挿入される時に内部電極と外部電極とが絶縁状態となる蓋とからなる密封可能な成膜チャンバー内に前記プラスチック容器を装着する容器装着工程、該プラスチック容器の内部を原料ガスに置換するとともに所定の成膜圧力に調整する成膜前ガス調整工程、前記外部電極に高周波出力を供給して該プラスチック容器内で前記原料ガスをプラズマ化させて、該プラスチック容器の内表面にＣＶＤ膜を成膜するＣＶＤ成膜工程、コーティング済み容器の内部圧力を大気圧に戻す成膜後ガス調整工程並びに前記コーティング済み容器を取り出す容器取出工程とを有するＣＶＤ膜コーティングプラスチック容器の製造サイクルを複数同タイミングで進行する放電ユニット単位で稼動させ、且つ相異なる放電ユニット間でプラズマの着火が重複しないように所定時間ずらして放電ユニットごとに前記各工程を進めることを特徴とするプラスチック容器内表面へのＣＶＤ膜成膜方法。
【請求項１７】
前記成膜前ガス調整工程終了後に高周波電源の出力をオフ状態とし、次いで該高周波電源から前記ＣＶＤ成膜工程へ進む放電ユニット内の全ての外部電極までに至る回路を導通状態とし、次に該高周波電源の出力をオン状態として、該外部電極のみに高周波を同時且つ均等に分配して該放電ユニット内の成膜チャンバーでプラズマを着火させてＣＶＤ成膜工程を開始させ、
所定成膜時間経過後には前記高周波電源の出力をオフ状態とし、次いで前記回路を遮断状態とし且つ該高周波電源からＣＶＤ成膜工程へ進む次なる放電ユニットの全ての外部電極までに至る回路を導通状態とし、次に該高周波電源の出力をオン状態として、前記放電ユニット内の成膜チャンバーにおいてプラズマを消滅させてＣＶＤ成膜工程を終了させ且つ次なる放電ユニットの成膜チャンバーにおいて次なるＣＶＤ成膜工程を開始させることを特徴とする請求項１６記載のプラスチック容器内表面へのＣＶＤ膜成膜方法。
【請求項１８】
高周波電源の出力オン/オフのタイミングに合わせて、複数の高周波電源が順次且つ循環して、高周波供給を行なうことを特徴とする請求項１４、１５、１６又は１７記載のプラスチック容器内表面へのＣＶＤ膜成膜方法。
【請求項１９】
前記放電ユニット内の外部電極それぞれに具設した固定整合器と同数の高周波電源がそれぞれ該各固定整合器に高周波を供給して前記ＣＶＤ成膜工程を行ない、次いで該高周波電源の出力をオフ状態として該ＣＶＤ成膜工程を終了させるとともに該高周波電源と該固定整合器との接続を該高周波電源と次なる放電ユニット内の外部電極それぞれに具設した固定整合器との接続に切り換えた後、該高周波電源の出力をオン状態とし、次なる放電ユニット内の該固定整合器に高周波を供給して次なるＣＶＤ成膜工程を行なうことを特徴とする請求項１６記載のプラスチック容器内表面へのＣＶＤ膜成膜方法。
【請求項２０】
前記成膜チャンバーを回転支持体にサークル状に複数配設し、該回転支持体が１周する間に前記製造サイクルを行なうことを特徴とする請求項１４、１５、１６、１７、１８又は１９記載のプラスチック容器内表面へのＣＶＤ膜成膜方法。
【請求項２１】
前記各工程の開始及び終了の時期を前記回転支持体の回転角度によって制御することを特徴とする請求項２０記載のプラスチック容器内表面へのＣＶＤ膜成膜方法。
【請求項２２】
原料ガスとして炭化水素系ガス若しくはＳｉ含有炭化水素系ガスを使用し、前記ＣＶＤ膜としてＤＬＣ膜を成膜することを特徴とする請求項１４、１５、１６、１７、１８、１９、２０又は２１記載のプラスチック容器内表面へのＣＶＤ膜成膜方法。
【発明の詳細な説明】
【０００１】
【発明の属する技術分野】
本発明は、ＣＶＤ（Chemical Vapor Deposition、化学気相成長）法により、プラスチック容器の内表面にＣＶＤ膜、特にＤＬＣ（ダイヤモンドライクカーボン）膜をコーティングするＣＶＤ成膜装置において、ロータリー方式による連続製造成膜装置、特に量産用ＣＶＤ成膜装置に関し、さらにその成膜方法に及ぶ。
【０００２】
【従来の技術】
ガスバリア性等の向上の目的でプラスチック容器の内表面にＤＬＣ膜を蒸着するために、ＣＶＤ法、特にプラズマＣＶＤ法を用いた蒸着装置が、例えば特開平８−５３１１７号公報に開示されている。また、特開平１０‐２５８８２５号公報には、ＤＬＣ膜コーティングプラスチック容器の量産用製造装置及びその製造方法が開示されている。さらに、特開平１０‐２２６８８４号公報には、外面から外方に突出する突出物を有する容器に、まだらなくＤＬＣ膜をコーティングすることができるＤＬＣ膜コーティングプラスチック容器の製造装置及びその製造方法が開示されている。
【０００３】
ＤＬＣ膜コーティングプラスチック容器の量産用製造装置及びその製造方法が開示されている特開平１０‐２５８８２５号公報には、複数のチャンバーを同一サークル上に等間隔で配置し、相隣合うチャンバーの外部電極を導線で接続し、さらに各外部電極がサークルの中心から伸びる直線状の導線によって高周波電源に接続された装置が開示されている。この装置により、複数の容器に同時成膜が行なわれ、且つチャンバーの配置並びにこれらを結ぶ導線の仕方によって、高周波が均等に分配されてコーティング状態が同一の容器が複数同時に成膜することができるとされている。
【０００４】
しかし、上記装置はＤＬＣ膜コーティングプラスチック容器の量産用製造装置の一形態を提案するものの、下記の点について課題が残る。すなわち、複数の容器に対して完全に同時成膜を行なうため、▲１▼高出力の高周波電源が必要となる、▲２▼非常に高度な真空引きの能力が要求される、▲３▼容器の装着及び取出をそれぞれ一斉に行なう必要がありタイムロスが大きくなるため、1サイクルにかけることができる時間のうち成膜時間に費やすことができる時間が短い、▲４▼製造サイクルを繰り返して量産する場合に、容器の装着及び取出をどのように行なうか開示されていない。仮に容器の装着時及び取出時にサークルを回転させ、成膜時にサークルを止める場合にはサークルを慣性に逆らって制御する必要があるため、動力的負担が大きい。一方、サークルを静止させる場合には、容器の供給及びコーティング済み容器の搬出のためのコンベア等が必要であり、装置が大型化する。
【０００５】
【発明が解決しようとする課題】
本発明者らは、容器の内表面にＣＶＤ膜を成膜する量産装置を開発するにあたり、装置を小型化し且つ装置の量産効率を高めるために、成膜チャンバーを回転支持体にサークル状に複数配置し、この回転支持体を一定速度で回転させ、回転支持体が一回転している間に製造サイクルを行なうことが好ましいとの結論に達した。
【０００６】
すなわち、回転支持体が一周する間に、成膜チャンバーが一製造サイクルである、（１）プラスチック容器の装着工程、（２）容器内部の成膜前ガス調整工程、（３）原料ガスのプラズマ化によるＣＶＤ膜成膜工程、（４）容器内部の成膜後ガス調整並びに（５）コーティング済み容器の取出工程、の全てを完了させることである。
【０００７】
本発明では、サークル上に配置した成膜チャンバーが、回転支持体の一周する間に、一製造サイクルを行なうＣＶＤ成膜装置をロータリー型と分類し、１本立て装置や特開平１０‐２５８８２５号公報のバッチ型装置と区別する。特に、量産化のため製造サイクルを一定間隔ずらして進める装置、或いは製造サイクルを複数同時に進め且つ一定間隔ずらして進める装置をロータリー型量産用ＣＶＤ成膜装置という。
【０００８】
このロータリー型量産用ＣＶＤ成膜装置には次の課題がある。すなわち、成膜チャンバーが１つである１本立てタイプのＣＶＤ成膜装置を回転支持体に複数配置すると、外部電極ごとに高周波電源、整合器、排気装置等が必要となり、装置が大型化する。ロータリー型量産用ＣＶＤ成膜装置は、プラスチック容器の製造工場で設置されることも考えられる為、新規追加となる本ロータリー型量産用ＣＶＤ成膜装置が大型となることは避けねばならない。また、高価な高周波電源を成膜チャンバーの数だけ準備しなければならないので装置が非常に高価格となる。
【０００９】
そこで、ロータリー型量産用ＣＶＤ成膜装置は小型化とすることが課題となり、且つ配置する高周波電源を成膜チャンバーの数よりも少なくすることが課題となる。高周波電源を少なくする際には、成膜チャンバーに同時に均等の高周波出力を分配供給することが課題となる。さらに、前述したように回転支持体が一回転する間に一製造サイクルを完了させるため、容器の装着及び取り出しに要する時間並びに成膜前後のガス調整に要する時間を合計した成膜工程外時間が長くなるとＣＶＤ成膜工程に充てることができる時間が短くなる。よって、ＣＶＤ膜の膜厚調整等の品質調整手段に制限が出来てしまう。そこで、成膜工程外時間を可能な限り短縮して、ＣＶＤ成膜工程に充てる時間を長くすることが課題となる。
【００１０】
高周波電源の少数化を図る場合、必然的に１つの高周波電源で所定数の成膜チャンバーに高周波出力を供給することとが課題となる。このとき、特開平１０‐２５８８２５号公報の技術は使用することができない。すなわち、同公報では同時に全ての外部電極に均等の高周波を送ればこと足りるのに対して、ロータリー型量産用ＣＶＤ成膜装置では、高周波を送る対象の外部電極を回転支持体の回転にあわせて次々と変化させる必要があるからである。このため、回転支持体の回転にあわせて変化させる高周波供給対象の外部電極のみに、一定強度の高周波を送ることができる高周波供給手段を設けることが課題となる。最終的には、どの成膜チャンバーにおいても、再現性良く同一のプラズマを発生させる必要がある。この高周波供給手段は、一定速度で回転する回転支持体にあわせてスムーズに高周波の分配切換を行なう必要があるため、本発明の要点の一つとなる。
【００１１】
本発明の目的は、回転支持体が一周する間に、成膜チャンバーが一製造サイクルを行なう装置であるロータリー型量産用ＣＶＤ成膜装置であって、次の特徴を有する成膜装置を提供することである。すなわち（１）小型であり、（２）全ての成膜チャンバーを同時に真空引きするほどの高度な真空引きの能力を必要としない、（３）回転支持体の回転慣性に逆らった制御をしないため、無駄な動力を必要としない、（４）一製造サイクル時間に対してＣＶＤ成膜時間を長時間とることができる、（５）成膜工程外時間を短縮でき、量産効率が高い、（６）成膜チャンバーの個数に対して高周波電源の個数を少なくできる、（７）全ての成膜チャンバーで同時成膜させる成膜装置と比較して高周波電源の必要とされる出力を小さくできる、（８）対象の外部電極のみに、一定強度の高周波を送る際にスムーズに高周波を分配切り換えすること、である。
【００１２】
本装置では、高周波を供給する対象外部電極を次々と換えていくため、高周波供給手段における回路切換は次の課題を有する。すなわち、高周波を供給したまま、すなわち電流を流したまま切換器（リレー）をON/OFFするいわゆる「ホットスイッチング」を行なうと、接点の磨耗が大きくなりリレーの寿命が著しく短くなる。この場合、数Aでは数百回程度の寿命である。これに対して、高周波を一旦切ってON/OFFする「コールドスイッチング」を行なうと、約100万回程度の寿命であることがわかった。したがって、本発明のロータリー型量産用ＣＶＤ成膜装置において、リレーの長寿命化を図るため、コールドスイッチングを行なう機構を設けることも課題とする。
【００１３】
第一形態のロータリー型量産用ＣＶＤ成膜装置において、高周波を同時且つ均等に分配する分配回路並びに分配回路の各分配出力のオン/オフを切り換えする切換スイッチとを高周波供給手段に設けることで、高周波供給対象の外部電極を個々に制御することを可能とし、同時に複数の外部電極に対しても均等な高周波を供給可能とすることを目的とする。本ロータリー型量産用ＣＶＤ成膜装置によって、製造サイクルを一定間隔ずらして進める装置を提供する。
【００１４】
さらに、第一形態のロータリー型量産用ＣＶＤ成膜装置において、回転支持体における成膜チャンバーの配列順に高周波の供給を順次且つ循環して行なう複数の高周波電源を設けることで、コールドスイッチングする際に高周波電源をオフとすることによる成膜時間の短縮を防止することを目的とする。すなわち、コールドスイッチングを行なう高周波電源と、ＣＶＤ成膜工程にある状態の成膜チャンバーの外部電極に高周波を供給する高周波電源とを分けることで、ＣＶＤ成膜工程にある状態の成膜チャンバーの外部電極に対しては、高周波供給可能時間の延長をすることを可能とすることを目的とする。
【００１５】
また、第一形態のロータリー型量産用ＣＶＤ成膜装置において、切換スイッチの出力側に第２分配回路を接続し、続いて各固定整合器を接続して、このとき第２分配回路で一まとまりの成膜チャンバーを、同一円心の円周方向に沿って複数列で回転支持体に配置することにより、使用する高周波電源数を増やすことなく、しかも装置の大型化を伴うことなく、装置の生産性を２倍乃至ｎ倍にすることを目的とする。ここで、ｎは整数であり、第２分配回路でｎ個に分岐した場合を指す。
【００１６】
第二形態のロータリー型量産用ＣＶＤ成膜装置において、放電ユニットを形成し、且つ高周波を放電ユニットのいずれか1つに供給する切換器と、切換器から供給された高周波を放電ユニット内の固定整合器に同時且つ均等に分配する放電ユニット分配回路とを備える高周波供給手段を設けることで、高周波供給対象の外部電極を放電ユニット単位で制御を可能とし、同時に異なる放電ユニットに対して均等な高周波を供給可能とすることを目的とする。本ロータリー型量産用ＣＶＤ成膜装置によって、製造サイクルを複数同時に進め且つ一定間隔ずらして進める装置を提供する。
【００１７】
また第二形態のロータリー型量産用ＣＶＤ成膜装置において、回転支持体における放電ユニットの配列順に高周波の供給を順次且つ循環して行なう複数の高周波電源を設けることで、コールドスイッチングする際に高周波電源をオフとすることによる成膜時間の短縮を防止することを目的とする。すなわち、コールドスイッチングを行なう高周波電源と、ＣＶＤ成膜工程にある状態の放電ユニットの外部電極に高周波を供給する高周波電源とを分けることで、ＣＶＤ成膜工程にある状態の放電ユニットの外部電極に対しては、高周波供給可能時間の延長をすることを可能とすることを目的とする。
【００１８】
さらに第二形態のロータリー型量産用ＣＶＤ成膜装置において、放電ユニットで一まとまりの成膜チャンバーを同一円心の円周方向に沿って複数列で回転支持体に配置することで、装置をよりコンパクトにすることを目的とする。例えば２列にした場合には、回転支持体の円周方向に整列する成膜チャンバーは１列の場合と比較して二分の一になり、回転支持体の半径を小さくすることが可能となる。
【００１９】
第三形態のロータリー型量産用ＣＶＤ成膜装置において、放電ユニットを形成し、放電ユニット内の所定数の成膜チャンバーと同数の高周波電源を準備し、且つ高周波を放電ユニットの個数と同数に分岐させ、いずれか１つの放電ユニットに対してのみ高周波を供給する切換器を備える高周波供給手段を設けることで、コールドスイッチングによる成膜時間の短縮を完全に防止すること目的とする。本ロータリー型量産用ＣＶＤ成膜装置によって、製造サイクルを複数同時に進め且つ一定間隔ずらして進める装置を提供する。
【００２０】
上記第三形態のロータリー型量産用ＣＶＤ成膜装置において、切換器の出力側に第２分配回路を設け、続いて固定整合器を介して各外部電極に高周波を供給することで、使用する高周波電源数を増やすことなく、しかも装置の大型化を伴うことなく、装置の生産性を２倍乃至ｎ倍にすることを目的とする。ここで、ｎは整数であり、第２分配回路でｎ個に分岐した場合を指す。
【００２１】
上記第三形態のロータリー型量産用ＣＶＤ成膜装置においても、放電ユニットで一まとまりの成膜チャンバーを同一円心の円周方向に沿って複数列で回転支持体に配置することにより、装置をよりコンパクトにすることを目的とする。前述と同様に２列にした場合には、回転支持体の円周方向に整列する成膜チャンバーは１列の場合と比較して二分の一になり、回転支持体の半径を小さくすることが可能となる。
【００２２】
全ての形態のロータリー型量産用ＣＶＤ成膜装置において、外部電極を複数の容器収納孔を独立に有する複数一体型外部電極に形成することで、高周波電源から固定整合器に至る回路を変えることなく、生産性を２倍乃至ｍ倍にすることを目的とする。ここでｍは整数であり、一の外部電極に設ける容器収納孔の個数である。
【００２３】
全ての形態のロータリー型量産用ＣＶＤ成膜装置において、周波数可動式か或いは電子式マッチングによるトランジスタ型高周波電源を用いることで、プラズマを素早く着火して、成膜時間のロスを防止することを目的とする。
【００２４】
全ての形態のロータリー型量産用ＣＶＤ成膜装置において、ＤＬＣ膜を成膜するのに適した装置を提供することを目的とする。
【００２５】
本発明は、第1のプラスチック容器内表面へのＣＶＤ膜成膜方法において、ＣＶＤ膜コーティングプラスチック容器の製造サイクルを複数の成膜チャンバーにてプラズマの着火状態が一部重複するように所定時間ずらして稼動させることで、製造サイクルを順次連続して稼動させる際に、成膜時間を確保し、且つ高周波電源の必要数を減らして稼動させることを目的とする。
【００２６】
また、第1のプラスチック容器内表面へのＣＶＤ膜成膜方法において、製造サイクルを順次連続して稼動させる際に、切換器の寿命を短期化させずに切換器のメンテナンスを長時間フリーにすることを目的とする。
【００２７】
本発明は、第２のプラスチック容器内表面へのＣＶＤ膜成膜方法において、複数同タイミングで進行する放電ユニット単位で稼動させ、且つ相異なる放電ユニット間で同時にプラズマを着火させないように、所定時間ずらして放電ユニットごとに前記各工程を進めることにより、放電ユニットごとに製造サイクルを順次連続して稼動させる際に、成膜時間を確保し、且つ高周波電源の必要数を減らして稼動させることを目的とする。
【００２８】
また、第２のプラスチック容器内表面へのＣＶＤ膜成膜方法において、放電ユニットごとに製造サイクルを順次連続して稼動させる際に、切換器の寿命を短期化させずに切換器のメンテナンスを長時間フリーにすることを目的とする。
【００２９】
第３のプラスチック容器内表面へのＣＶＤ膜成膜方法において、製造サイクルを順次連続して稼動させる際に、切換器の寿命を短期化させずに切換器のメンテナンスを長時間フリーにすることを目的とする。
【００３０】
第１、第２及び第３のプラスチック容器内表面へのＣＶＤ膜成膜方法において、ロータリー型成膜装置にて制御する際に製造サイクルを回転支持体が１周する間に行なうことで、製造サイクルを回転支持体の回転角度に応じて制御することを可能とし、さらに容器の装着又は取出をする際に複雑な制御することなしに、それぞれ１箇所で行なうことを目的とする。
【００３１】
また、第１、第２及び第３のプラスチック容器内表面へのＣＶＤ膜成膜方法において、高周波電源の出力オン/オフのタイミングに合わせて、複数の高周波電源を順次且つ循環して、高周波の供給を担当させることで、コールドスイッチングする際に高周波電源をオフとすることによる成膜時間の短縮を防止することを目的とする。すなわち、コールドスイッチングを行なう高周波電源と、ＣＶＤ成膜工程にある状態の外部電極若しくは放電ユニット内の外部電極に高周波を供給する高周波電源とを分けることで、ＣＶＤ成膜工程にある状態の外部電極若しくは放電ユニット内の外部電極に対しては、高周波供給可能時間の延長をすることを可能とすることを目的とする。
【００３２】
原料ガスとして炭化水素系ガス若しくはＳｉ含有炭化水素系ガスを使用し、ＣＶＤ膜としてＤＬＣ膜を成膜することで、ＤＬＣ膜を成膜するのに適したプラスチック容器内表面へのＣＶＤ膜成膜方法を提供することを目的とする。
【００３３】
【課題を解決するための手段】
本発明のロータリー型量産用ＣＶＤ成膜装置は、プラスチック容器を収納する外部電極と該プラスチック容器の内部に挿脱可能に配置される内部電極並びに該内部電極が該プラスチック容器内に挿入される時に内部電極と外部電極とが絶縁状態となる蓋とからなる密封可能な成膜チャンバーをサークル状に複数配設した回転支持体と、各プラスチック容器の内部にプラズマ化させる原料ガスを導入する原料ガス導入手段と、前記外部電極ごとに高周波を供給する高周波供給手段とを備え、前記回転支持体を１回転させる間に、前記プラスチック容器の容器装着手段、該プラスチック容器の内部を原料ガスに置換するとともに所定の成膜圧力に調整する成膜前ガス調整手段、該プラスチック容器の内表面にＣＶＤ膜を成膜するＣＶＤ成膜手段、コーティング済み容器の内部圧力を大気圧に戻す成膜後ガス調整手段並びに容器取出手段の各手段を作動させるロータリー型プラズマＣＶＤ成膜装置であって、
前記高周波供給手段は、前記外部電極ごとに具設した固定整合器と、１以上の高周波電源と、該高周波電源ごとに具設した自動整合器と、前記ＣＶＤ成膜手段を作動させる成膜チャンバーのみに前記固定整合器を介して前記自動整合器から受けた高周波を均等に供給する高周波分配手段と、前記高周波電源のうち、前記ＣＶＤ成膜手段の作動開始時及び作動終了時の状態にある外部電極に対して高周波供給をする高周波電源の出力制御を行なうための高周波電源出力制御手段とを備えることを特徴とする。言い換えれば、本発明に係るロータリー型量産用ＣＶＤ成膜装置は、プラスチック容器を収納する外部電極と該プラスチック容器の内部に挿脱可能に配置される内部電極並びに該内部電極が該プラスチック容器内に挿入される時に内部電極と外部電極とが絶縁状態となる蓋とからなる密封可能な成膜チャンバーをサークル状に複数配設した回転支持体と、各プラスチック容器の内部にプラズマ化させる原料ガスを導入する原料ガス導入手段と、前記外部電極ごとに高周波を供給する高周波供給手段とを備え、前記回転支持体を１回転させる間に各プラスチック容器の内表面にＣＶＤ膜を成膜するロータリー型プラズマＣＶＤ成膜装置であって、
前記高周波供給手段は、前記外部電極ごとに具設した固定整合器と、１以上の高周波電源と、該高周波電源ごとに具設した自動整合器と、所定の成膜チャンバーのみに前記固定整合器を介して前記自動整合器から受けた高周波を均等に供給する高周波分配手段と、所定高周波電源の出力制御を行なうための高周波電源出力制御手段とを備えることを特徴とする。
【００３４】
請求項１記載のロータリー型量産用ＣＶＤ成膜装置において、前記高周波分配手段は、高周波を同時且つ均等に分配する分配回路並びに該分配回路の各分配出力のオン/オフを切り換えする切換スイッチとを備えることが好ましい。
【００３５】
請求項１又は２記載のロータリー型量産用ＣＶＤ成膜装置において、前記高周波電源は、前記回転支持体における前記成膜チャンバーの配列順に高周波の供給を順次且つ循環して行なう複数の高周波電源であることが好ましい。
【００３６】
請求項２又は３記載のロータリー型量産用ＣＶＤ成膜装置において、前記切換スイッチの出力側に第２分配回路を接続し、該第２分配回路の各出力と前記各固定整合器を接続して各外部電極に高周波を供給する接続とし、且つ前記第２分配回路で一まとまりの前記成膜チャンバーは、同一円心の円周方向に沿って複数列で前記回転支持体に配置したことが好ましい。
【００３７】
請求項１記載のロータリー型量産用ＣＶＤ成膜装置において、前記回転体支持体に配置した前記成膜チャンバーは、相隣合う所定数の該成膜チャンバーと複数の放電ユニットを形成し、且つ前記高周波分配手段は、前記自動整合器から受けた高周波を前記放電ユニットのいずれか1つに供給する切換器と、該切換器から供給された高周波を前記放電ユニット内の前記固定整合器に同時且つ均等に分配する放電ユニット分配回路とを備えることが好ましい。
【００３８】
請求項５記載のロータリー型量産用ＣＶＤ成膜装置において、前記高周波電源は、前記回転支持体における前記放電ユニットの配列順に高周波の供給を順次且つ循環して行なう複数の高周波電源であることが好ましい。
【００３９】
請求項５又は６記載のロータリー型量産用ＣＶＤ成膜装置において、前記放電ユニットで一まとまりの前記成膜チャンバーは、同一円心の円周方向に沿って複数列で前記回転支持体に配置したことが好ましい。
【００４０】
請求項１記載のロータリー型量産用ＣＶＤ成膜装置において、前記回転体支持体に配置した前記成膜チャンバーは、相隣合う所定数の該成膜チャンバーと複数の放電ユニットを形成し、前記高周波電源の個数は前記放電ユニット内の所定数の成膜チャンバーと同数であり、且つ前記高周波分配手段は前記自動整合器から受けた高周波を前記放電ユニットの個数と同数に分岐させ、いずれか１つの放電ユニットに対してのみ高周波を供給する切換器を備えることが好ましい。
【００４１】
請求項８記載の切換器の出力側は第２分配回路に高周波を供給し、該第２分配回路の各出力側と前記固定整合器とを接続したことが好ましい。
【００４２】
請求項８又は９記載の放電ユニットで一まとまりの前記成膜チャンバーは、同一円心の円周方向に沿って複数列で前記回転支持体に配置したことが好ましい。
【００４３】
本発明のロータリー型量産用ＣＶＤ成膜装置において、前記外部電極は、複数の前記プラスチック容器を並列かつそれぞれ独立に収納した状態で収容可能な収納空間を有する一柱体からなる柱状外部電極であり、前記各収納空間の中心軸は、該柱状外部電極の軸心と平行で、かつ前記柱状外部電極の同一断面同一円周上に位置し、前記収納空間は、均等間隔に配置したことが好ましい。
【００４４】
本発明のロータリー型量産用ＣＶＤ成膜装置において、前記高周波電源は、トランジスタ型高周波電源であり、且つ周波数可動式か或いは電子式でマッチングを行なう高周波電源であることが好ましい。
【００４５】
本発明のロータリー型量産用ＣＶＤ成膜装置において、前記ＣＶＤ膜はＤＬＣ膜であることが好ましい。
【００４６】
本発明のプラスチック容器内表面へのＣＶＤ膜成膜方法は、プラスチック容器を収納する外部電極と該プラスチック容器の内部に挿脱可能に配置される内部電極並びに該内部電極が該プラスチック容器内に挿入される時に内部電極と外部電極とが絶縁状態となる蓋とからなる密封可能な成膜チャンバー内に前記プラスチック容器を装着する容器装着工程、該プラスチック容器の内部を原料ガスに置換するとともに所定の成膜圧力に調整する成膜前ガス調整工程、前記外部電極に高周波出力を供給して該プラスチック容器内で前記原料ガスをプラズマ化させて該プラスチック容器の内表面にＣＶＤ膜を成膜するＣＶＤ成膜工程、コーティング済み容器の内部圧力を大気圧に戻す成膜後ガス調整工程並びに該コーティング済み容器を取り出す容器取出工程とを有するＣＶＤ膜コーティングプラスチック容器の製造サイクルを、複数の成膜チャンバーにてプラズマの着火状態が一部重複するように所定時間ずらして稼動させることを特徴とする。
【００４７】
請求項１４記載のプラスチック容器内表面へのＣＶＤ膜成膜方法において、前記成膜前ガス調整工程終了後に高周波電源の出力をオフ状態とし、次いで該高周波電源から前記ＣＶＤ成膜工程へ進む前記成膜チャンバーに対応する外部電極までに至る回路を導通状態とし、次に該高周波電源の出力をオン状態として、該外部電極に高周波を同時且つ均等に該成膜チャンバーでプラズマを着火してＣＶＤ成膜工程を開始させ、所定成膜時間経過後には前記高周波電源の出力をオフ状態とし、次いで前記回路を遮断状態とし且つ該高周波電源からＣＶＤ成膜工程へ進む次なる成膜チャンバーに対応する外部電極までに至る回路を導通状態とし、次に該高周波電源の出力をオン状態として、前記成膜チャンバーにおいてプラズマを消滅させてＣＶＤ成膜工程を終了させ且つ次なる成膜チャンバーにおいて次なるＣＶＤ成膜工程を開始させることが好ましい。
【００４８】
また、本発明のプラスチック容器内表面へのＣＶＤ膜成膜方法は、プラスチック容器を収納する外部電極と該プラスチック容器の内部に挿脱可能に配置される内部電極並びに該内部電極が該プラスチック容器内に挿入される時に内部電極と外部電極とが絶縁状態となる蓋とからなる密封可能な成膜チャンバー内に前記プラスチック容器を装着する容器装着工程、該プラスチック容器の内部を原料ガスに置換するとともに所定の成膜圧力に調整する成膜前ガス調整工程、前記外部電極に高周波出力を供給して該プラスチック容器内で前記原料ガスをプラズマ化させて、該プラスチック容器の内表面にＣＶＤ膜を成膜するＣＶＤ成膜工程、コーティング済み容器の内部圧力を大気圧に戻す成膜後ガス調整工程並びに前記コーティング済み容器を取り出す容器取出工程とを有するＣＶＤ膜コーティングプラスチック容器の製造サイクルを複数同タイミングで進行する放電ユニット単位で稼動させ、且つ相異なる放電ユニット間でプラズマの着火が重複しないように所定時間ずらして放電ユニットごとに前記各工程を進めることを特徴とする。
【００４９】
請求項１６記載のプラスチック容器内表面へのＣＶＤ膜成膜方法において、前記成膜前ガス調整工程終了後に高周波電源の出力をオフ状態とし、次いで該高周波電源から前記ＣＶＤ成膜工程へ進む放電ユニット内の全ての外部電極までに至る回路を導通状態とし、次に該高周波電源の出力をオン状態として、該外部電極のみに高周波を同時且つ均等に分配して該放電ユニット内の成膜チャンバーでプラズマを着火させてＣＶＤ成膜工程を開始させ、所定成膜時間経過後には前記高周波電源の出力をオフ状態とし、次いで前記回路を遮断状態とし且つ該高周波電源からＣＶＤ成膜工程へ進む次なる放電ユニットの全ての外部電極までに至る回路を導通状態とし、次に該高周波電源の出力をオン状態として、前記放電ユニット内の成膜チャンバーにおいてプラズマを消滅させてＣＶＤ成膜工程を終了させ且つ次なる放電ユニットの成膜チャンバーにおいて次なるＣＶＤ成膜工程を開始させることが好ましい。
【００５０】
請求項１４、１５、１６又は１７記載のプラスチック容器内表面へのＣＶＤ膜成膜方法において、高周波電源の出力オン/オフのタイミングに合わせて、複数の高周波電源が順次且つ循環して、高周波供給を行なうことが好ましい。
【００５１】
請求項１６記載のプラスチック容器内表面へのＣＶＤ膜成膜方法において、前記放電ユニット内の外部電極それぞれに具設した固定整合器と同数の高周波電源がそれぞれ該各固定整合器に高周波を供給して前記ＣＶＤ成膜工程を行ない、次いで該高周波電源の出力をオフ状態として該ＣＶＤ成膜工程を終了させるとともに該高周波電源と該固定整合器との接続を該高周波電源と次なる放電ユニット内の外部電極それぞれに具設した固定整合器との接続に切り換えた後、該高周波電源の出力をオン状態とし、次なる放電ユニット内の該固定整合器に高周波を供給して次なるＣＶＤ成膜工程を行なうことが好ましい。
【００５２】
請求項１４、１５、１６、１７、１８又は１９記載のプラスチック容器内表面へのＣＶＤ膜成膜方法において、前記成膜チャンバーを回転支持体にサークル状に複数配設し、該回転支持体が１周する間に前記製造サイクルを行なうことが好ましい。
【００５３】
請求項２０記載のプラスチック容器内表面へのＣＶＤ膜成膜方法において、前記各工程の開始及び終了の時期を前記回転支持体の回転角度によって制御することが好ましい。
【００５４】
請求項１４、１５、１６、１７、１８、１９、２０又は２１記載のプラスチック容器内表面へのＣＶＤ膜成膜方法において、原料ガスとして炭化水素系ガス若しくはＳｉ含有炭化水素系ガスを使用し、前記ＣＶＤ膜としてＤＬＣ膜を成膜することが好ましい。
【００５５】
【発明の実施の形態】
以下、実施形態を複数挙げて本発明を詳細に説明するが、本発明はこれらの実施形態に限定して解釈されない。また、各図面において部材が共通する場合には、同一の符号を附した。
【００５６】
以下本発明の実施形態を図１〜３５に基づいて説明する。図１は、本発明に係るロータリー型量産用ＣＶＤ成膜装置の基本構成の関係を示した概念図である。本発明に係るロータリー型量産用ＣＶＤ成膜装置は、成膜チャンバーと、成膜チャンバーをサークル状に複数配設した回転支持体と、各プラスチック容器の内部にプラズマ化させる原料ガスを導入する原料ガス導入手段と、成膜チャンバーの外部電極ごとに高周波を供給する高周波供給手段とを備え、回転支持体を１回転させる間に、プラスチック容器の容器装着手段、プラスチック容器の内部を原料ガスに置換するとともに所定の成膜圧力に調整する成膜前ガス調整手段、プラスチック容器の内表面にＣＶＤ膜を成膜するＣＶＤ成膜手段、プラスチック容器の内部圧力を大気圧に戻す成膜後ガス調整手段並びに容器取出手段の各手段を作動させるロータリー型プラズマＣＶＤ成膜装置である。
【００５７】
図２は、図１のうち一の成膜チャンバーに着目して、その構成を示した概念図である。図２に示すように成膜チャンバー６は、プラスチック容器７を収納する外部電極３とプラスチック容器の内部に挿脱可能に配置される内部電極９並びに蓋５とから構成され、密封可能な真空室を形成する。
【００５８】
蓋５は、導電部材４ｂ及び絶縁部材４ａとから構成し、内部電極９がプラスチック容器７内に挿入される時に内部電極９と外部電極３とを絶縁状態とする。
【００５９】
導電部材４ｂの下に絶縁部材４ａが配置されて蓋５を形成し、外部電極３は、絶縁部材４ａの下に配置されている。この外部電極３は、上部外部電極２と下部外部電極１からなり、上部外部電極２の下部に下部外部電極１の上部がＯリング８を介して着脱自在に取り付けられるよう構成されている。上部外部電極２と下部外部電極１を脱着することでプラスチック容器７を装着することができる。また、外部電極３は絶縁部材４によって蓋５と絶縁されている。
【００６０】
なお、本実施形態では外部電極３を下部外部電極１と上部外部電極２の２つに分割しているが、ＣＶＤ膜の膜厚等の均一化を図るため、外部電極を例えば底部電極、胴部電極及び肩部電極のように３つ、あるいはそれ以上に分割し、各電極は例えばＯリング等を挟んでシール性を確保しつつ、フッ化樹脂シートやポリイミドフィルム或いはポリエーテルエーテルケトン（ＰＥＥＫ）フィルムで電気的に絶縁しても良い。
【００６１】
外部電極３の内部には空間が形成されており、この空間はコーティング対象のプラスチック容器７、例えばポリエチレンテレフタレート樹脂製の容器であるＰＥＴボトルを収容するための収納空間である。外部電極３内の収納空間は、そこに収容されるプラスチック容器７を収納できるように形成される。ここで、プラスチック容器の外形よりも僅かに大きくなるように形成されることが好ましい。すなわち、容器の収納空間の内壁面はプラスチック容器の外側近傍を囲む形状とすることが好ましい。ただし、プラスチック容器の内表面にバイアス電圧がかかる場合には、外部電極の収納空間の内壁面をプラスチック容器の外側近傍を囲む形状とする必要はない。蓋５には、外部電極３内の収納空間につながる開口部が設けられている。また、蓋５の内部には空間が設けられており、この空間は上記開口部を介して外部電極３内の収納空間につながっている。外部電極３内の収納空間は、上部外部電極２と下部外部電極１の間に配置されたＯリング８によって外部から密閉されている。
【００６２】
内部電極９は、外部電極３内に配置され、且つプラスチック容器７の内部に配置される。すなわち、導電部材４ｂの上部から導電部材４ｂ内の空間、導電部材４ｂと絶縁部材４ａの開口部を通して、外部電極３内の空間に内部電極９が差し込まれている。内部電極９の基端は導電部材４ｂの上部に配置される。一方、内部電極９の先端は、外部電極３内の空間であって外部電極３内に収容されたプラスチック容器７の内部に配置される。内部電極９は、その内部が中空からなる管形状を有している。内部電極９の先端にはガス吹き出しロ４９が設けられている。さらに内部電極は接地されることが好ましい。
【００６３】
外部電極は、図３に示すように、１本１本独立した容器収納孔を複数有する複数一体型外部電極にすることが好ましい。複数一体型外部電極とは、複数のプラスチック容器を並列かつそれぞれ独立に収納した状態で収容可能な収納空間を有する一柱体からなる柱状外部電極であり、各収納空間の中心軸は、柱状外部電極の軸心と平行で、且つ柱状外部電極の同一断面同一円周上に位置し、収納空間同士を均等間隔に配置するものである。図３では、一の外部電極３に４つの独立した容器収納孔を設けた場合を示している。一の外部電極３に対して容器収納孔それぞれに内部電極9a〜9dが設けてある。図４に複数一体型外部電極の場合のＣＶＤ成膜装置の模式図を示した。基本構造は、図２の場合と同様であるが、複数一体型外部電極としたため、複数の内部電極はそれぞれ接地して、且つ原料ガスも各容器に供給可能な配管となっている。図３に示すように外部電極3の内部には空間が4つ形成されて複数一体型の構造を採っているが、この空間はコーティング対象のプラスチック容器7a〜7dである、例えばポリエチレンテレフタレート樹脂で成形されたＰＥＴボトルを4本収容するためのものである。外部電極3内の収納空間の形状は、図２における説明と同様である。図４のB-B’横断面図である図５に示すように、外部電極の中心χ1から半径aの円周Ｓ上にプラスチック容器7a〜7dの収納空間の中心である7ax〜7dx（それぞれ×で示した点）が、均等間隔で配置されるように収納空間を配置する。高周波出力は高周波出力供給ロッド30に導入する。ここで7ax〜7dxを均等間隔で配置する。図３（ａ）に示した複数一体型外部電極は、円柱状の柱状外部電極であるが、角柱あるいは各容器収納空間を近似的に均一な肉厚で囲む形状が複合して形成した一柱体からなる柱状構造でも良い。外部電極3の容器下部外部電極１は、図４に示す外部電極3の容器下部外部電極１の底面と中心軸Xとの交点χ2を高周波出力供給点としている。高周波出力供給ロッド30には導電ケーブルや導電性金属棒が用いられる。また高周波出力供給ロッド接続コンタクト32は、容器の出し入れ時に容器下部外部電極と容器上部外部電極とを組み立る場合に導通接点の役目を果たすものである。なお、高周波出力供給点χ2を容器下部外部電極に設けているが、容器下部外部電極1であって各プラスチック容器の底面付近の4箇所に分配して接続点を設けるか、あるいは外部電極の内部であって中心軸X上で接続等することも可能である。いずれにしても接続点の変更は、各プラスチック容器内で均等なプラズマを発生させることが可能な範囲内で適宜可能である。なお、本実施形態では、１個の外部電極の内部に４本のプラスチック容器を収納する場合を説明したが、４本以外であっても複数本のプラスチック容器を収納することが可能な外部電極を用いる形態を取ることもできる。本発明においては、複数一体型外部電極構造を採用することで、生産性の倍増と装置のコンパクトの少なくとも一方を実現できる。
【００６４】
本発明に係る容器とは、蓋若しくは栓若しくはシールして使用する容器、またはそれらを使用せず開口状態で使用する容器を含む。開口部の大きさは内容物に応じて決める。プラスチック容器は、剛性を適度に有する所定の肉厚を有するプラスチック容器と剛性を有さないシート材により形成されたプラスチック容器を含む。本発明に係るプラスチック容器の充填物は、炭酸飲料若しくは果汁飲料若しくは清涼飲料等の飲料、並びに医薬品、農薬品、又は吸湿を嫌う乾燥食品等を挙げることができる。
【００６５】
本発明のプラスチック容器を成形する際に使用する樹脂は、ポリエチレンテレフタレート樹脂（ＰＥＴ）、ポリエチレンテレフタレート系コポリエステル樹脂（ポリエステルのアルコール成分にエチレングリコールの代わりに、シクロヘキサンディメタノールを使用したコポリマーをＰＥＴＧと呼んでいる、イーストマン製）、ポリブチレンテレフタレート樹脂、ポリエチレンナフタレート樹脂、ポリエチレン樹脂、ポリプロピレン樹脂（ＰＰ）、シクロオレフィンコポリマー樹脂（ＣＯＣ、環状オレフィン共重合）、アイオノマ樹脂、ポリ−４−メチルペンテン−１樹脂、ポリメタクリル酸メチル樹脂、ポリスチレン樹脂、エチレン−ビニルアルコール共重合樹脂、アクリロニトリル樹脂、ポリ塩化ビニル樹脂、ポリ塩化ビニリデン樹脂、ポリアミド樹脂、ポリアミドイミド樹脂、ポリアセタール樹脂、ポリカーボネート樹脂、ポリスルホン樹脂、又は、４弗化エチレン樹脂、アクリロニトリル−スチレン樹脂、アクリロニトリル−ブタジエン−スチレン樹脂、を例示することができる。この中で、ＰＥＴが特に好ましい。
【００６６】
図２において、原料ガス導入手段４１は、プラスチック容器７の内部に原料ガス発生源２０から供給される原料ガスを導入する。すなわち、内部電極９の基端には、配管１１の一方側が接続されており、この配管１１の他方側は真空バルブ１６を介してマスフローコントローラー１９の一方側に接続されている。マスフローコントローラー１９の他方側は配管を介して原料ガス発生源２０に接続されている。この原料ガス発生源２０はアセチレンなどの炭化水素ガス等を発生させるものである。
【００６７】
図１に示すように原料ガス導入手段は、各成膜チャンバーに原料ガスを供給する。成膜チャンバーごとに原料ガス導入手段を設置しても良いが、一の原料ガス発生源によって、全ての成膜チャンバーに原料ガスを導入しても良い。この場合、原料ガス発生源とマスフローコントローラーとの間に、成膜チャンバーの数に応じた分岐配管を設ける。ここで、マスフローコントローラーは成膜チャンバーの数と同数設置する。いずれにしても、各成膜チャンバーに所定量の原料ガスを供給することができればよい。
【００６８】
原料ガスとしては、例えば、ＤＬＣ膜を成膜する場合、常温で気体又は液体の脂肪族炭化水素類、芳香族炭化水素類、含酸素炭化水素類、含窒素炭化水素類などが使用される。特に炭素数が６以上のベンゼン，トルエン，o-キシレン，m-キシレン，p-キシレン，シクロヘキサン等が望ましい。食品等の容器に使用する場合には、衛生上の観点から脂肪族炭化水素類、特にエチレン、プロピレン又はブチレン等のエチレン系炭化水素、又は、アセチレン、アリレン又は１―ブチン等のアセチレン系炭化水素が好ましい。これらの原料は、単独で用いても良いが、２種以上の混合ガスとして使用するようにしても良い。さらにこれらのガスをアルゴンやヘリウムの様な希ガスで希釈して用いる様にしても良い。また、ケイ素含有ＤＬＣ膜を成膜する場合には、Si含有炭化水素系ガスを使用する。
【００６９】
本発明でいうＤＬＣ膜とは、ｉカーボン膜又は水素化アモルファスカーボン膜(ａ−Ｃ：Ｈ) と呼ばれる膜のことであり、硬質炭素膜も含まれる。またＤＬＣ膜はアモルファス状の炭素膜であり、ＳＰ３結合も有する。このＤＬＣ膜を成膜する原料ガスとしては炭化水素系ガス、例えばアセチレンガスを用い、Si含有ＤＬＣ膜を成膜する原料ガスとしてはSi含有炭化水素系ガスを用いる。このようなＤＬＣ膜をプラスチック容器の内表面に形成することにより、炭酸飲料や発泡飲料等の容器としてワンウェイ若しくはリターナブルに使用可能な容器を得る。
【００７０】
導電部材４ｂ内の空間は配管１３の一方側に接続されており、配管１３の他方側は真空バルブ１８を介して真空ポンプ２１に接続されている。この真空ポンプ２１は排気ダクト２９に接続されている。複数の成膜チャンバーがあるため、一つの真空ポンプに排気系統を集約して排気を行なっても良く、或いは複数の真空ポンプで分担して排気を行なっても良い。
【００７１】
プラスチック容器の容器装着手段は、成膜チャンバー内の容器収納孔に容器を装着させるための手段であり、例えば、具体的には容器を収納するために上部外部電極２と下部外部電極１とを開口させる手段である。図１のように未コーティングプラスチック容器は、例えばコンベアから容器を別個に取り出して成膜チャンバー内の容器収納孔に投入する容器装着ハンドリング装置（未図示）によって供給する。
【００７２】
成膜前ガス調整手段は、プラスチック容器の内部を原料ガスに置換するとともに所定の成膜圧力に調整する手段であり、原料ガス導入手段と真空ポンプの排気とを協同させるものである。
【００７３】
ＣＶＤ成膜手段は、プラスチック容器の内表面にＣＶＤ膜を成膜する手段であり、成膜チャンバーにおいて高周波供給手段と原料ガス導入手段と排気手段とを協同させるものである。ここで排気手段とは、真空バルブ１８、真空ポンプ２１及び排気ダクト２９から構成される。
【００７４】
成膜後ガス調整手段は、成膜チャンバー及びプラスチック容器内の残存した原料ガスを除去し、さらに成膜後にプラスチック容器内を大気圧開放させる手段であり、排気手段と大気開放弁１７とを協同させるものである。
【００７５】
容器取出手段は、成膜チャンバー内の容器収納孔から容器を取出させるための手段であり、例えば容器を取出するために上部外部電極２と下部外部電極１とを開口させる手段である。図１のようにコーティング済み容器は、例えば成膜チャンバー内の容器収納孔から容器を取出する容器取出ハンドリング装置（未図示）によってコンベアに載せられ、搬出される。
【００７６】
図６に示すように、高周波供給手段は、外部電極ごとに具設した固定整合器（図中は、先端M.Bと表記する）と、１以上の高周波電源と、該高周波電源ごとに具設した自動整合器（自動マッチングボックス）と、ＣＶＤ成膜手段を作動させる成膜チャンバーのみに固定整合器を介して自動整合器から受けた高周波を均等に供給する高周波分配手段（分配器）と、高周波電源のうち、ＣＶＤ成膜手段の作動開始時及び作動終了時の状態にある外部電極に対して高周波供給をする高周波電源の出力制御を行なうための高周波電源出力制御手段とを備える。
【００７７】
固定整合器は、外部電極それぞれに具設され、同軸ケーブルによって供給される高周波と外部電極内で生成するプラズマとのインピーダンス整合を行なう。固定整合器を外部電極は、銅板配線によって接続する。
【００７８】
高周波電源は、プラスチック容器内で原料ガスをプラズマ化するためのエネルギーである高周波を発生させるものである。マッチングを素早く行ない、プラズマ着火に要する時間を短縮させるために、トランジスタ型高周波電源であり、且つ周波数可動式か或いは電子式でマッチングを行なう高周波電源であることが好ましい。高周波電源の周波数は、１００ｋＨｚ〜１０００ＭＨｚであるが、例えば、工業用周波数である１３．５６ＭＨｚのものを使用する。
【００７９】
自動整合器から固定整合器に至るまでの配線は、同軸ケーブルで接続する。同軸ケーブルは例えば特性インピーダンス５０Ωのものとする。ここで自動整合器は、同軸ケーブル上でのインピーダンス変動を調整するものである。
【００８０】
高周波電源出力制御手段は、高周波電源のうち、ＣＶＤ成膜手段の作動開始時及び作動終了時の状態にある外部電極に対して、コールドスイッチングを実現させるための制御手段である。高周波を外部電極に供給開始する際に、高周波電源の出力を一旦オフとする信号を発信し、切換器の切換作業終了後に高周波電源の出力をオンとする信号を発信するものである。なお、ＣＶＤ成膜手段の作動開始時及び作動終了時は、例えば、回転支持体の回転角度の検出によって連動して検知させる。
【００８１】
高周波分配手段は、一の高周波電源から供給される高周波を複数の外部電極に分配するためのものである。高周波分配手段の構成によって、本発明のロータリー型量産用ＣＶＤ成膜装置が複数の形態をとりうるため、第１実施形態、第２実施形態並びに第３実施形態に分けて説明する。
【００８２】
[第１実施形態]
図７に示すように、高周波分配手段は、高周波を同時且つ均等に分配する分配回路並びに分配回路の各分配出力のオン/オフを切り換えする切換スイッチとから構成する。
【００８３】
分配回路は、例えば図８に示すように、パラレル型、すなわちコイルと抵抗とコンデンサによる回路であり、一入力を複数出力に分配する回路である。或いは図８のカスケード型の回路としても良い。
【００８４】
切換スイッチとは、例えば分配回路の出力をオン/オフするための高周波リレーである。
【００８５】
本実施形態の高周波分配手段を採用すると、外部電極をそれぞれ独立して高周波供給のオン/オフを行なうことができる。
【００８６】
本実施形態において、具体的な実施例として高周波電源を２個、成膜チャンバーを３２個とした場合の回路を図９に示す。ここで、ＭＦＣはマスフローコントローラー、ＧＶはガスバルブ、ＰＳはプレッシャースイッチ、ＬＶはリークバルブ、ＲＶは粗バルブ、ＰＧは圧力計、ＭＶはメインバルブ、ＴＳはサーモカップルゲージ、ＩＶはアイソレーションバルブ（保護バルブ）、ＢＯＴは容器、先端Ｍ．Ｂは固定整合器の略称である。これらの後に続く番号は、成膜チャンバーの数に応じた回転支持体上の配列順番に相当する数字である。図９の回路の場合において、回転支持体に配置した成膜チャンバーの配列を図１０に示した。図１０の回転支持体の回転方向は右回り（以下、図１０と同様の配列図において同じ）である。さらにこの場合の高周波供給手段の回路を図１１に示した。高周波電源をＡとＢの２個準備し、回転支持体における成膜チャンバーの配列順に高周波の供給を順次且つ循環して担当させる回路とする。すなわち、図１０及び図１１に示すように成膜チャンバー1、２、…、32の配列順に対して、高周波電源Ａ、高周波電源Ｂ、…、高周波電源Ｂのように担当させる回路とする。この構成によると、ある成膜チャンバーに高周波を供給開始する場合に、高周波供給中の成膜チャンバーに対してコールドスイッチングを原因とする高周波供給の中断を行なわなくて良い。すなわち、図１０及び図１１のうち成膜チャンバー1、３、５、７、９、１１については、高周波電源Ａが担当するため、成膜チャンバー１が成膜開始するためには成膜チャンバー３、５、７、９、１１に対する高周波供給を一時的に中断しなければならない。しかし、成膜チャンバー２、４、６、８、１０、１２については、高周波電源Ｂが担当するので高周波電源Ａの出力オン/オフの影響を受けない。したがって、成膜時間の短縮化を招くことがない。
【００８７】
本実施形態において、別の具体的な実施例として高周波電源を４個、成膜チャンバーを３２個とした場合の回路を図１２に示す。ここで、略称は前述と同様である。図１２の回路の場合において、回転支持体に配置した成膜チャンバーの配列を図１３に示した。さらにこの場合の高周波供給手段の回路を図１４に示した。高周波電源をＡ、Ｂ、Ｃ，Ｄの４個準備し、回転支持体における成膜チャンバーの配列順に高周波の供給を順次且つ循環して担当させる回路とする。すなわち、図１３及び図１４に示すように成膜チャンバー1、２、３、４、…、32の配列順に対して、高周波電源Ａ、高周波電源Ｂ、高周波電源Ｃ、高周波電源Ｄ、…、高周波電源Ｄのように担当させる回路とする。この構成によると、ある成膜チャンバーに高周波を供給開始する場合に、高周波供給中の成膜チャンバーに対してコールドスイッチングを原因とする高周波供給の中断を行なわなくて良い。すなわち、図１３及び図１４のうち成膜チャンバー1、５、９、１１については、高周波電源Ａが担当するため、成膜チャンバー１が成膜開始するためには成膜チャンバー５、９、１１に対する高周波供給を一時的に中断しなければならない。しかし、成膜チャンバー２、３、４、５、６、７、８、１０、１２については、高周波電源Ｂ、高周波電源Ｃ又は高周波電源Ｄが担当するので高周波電源Ａの出力オン/オフの影響を受けない。したがって、成膜時間の短縮化を招くことがない。
【００８８】
本実施形態において、さらに図１５に示すように、切換スイッチの出力側に第２分配回路を接続し、第２分配回路の各出力側と各固定整合器を接続して各外部電極に高周波を供給する接続としても良い。この場合、第２分配回路で一まとまりの成膜チャンバーを同一円心の円周方向に沿って複数列で回転支持体に配置することが好ましい。第２分配回路は、分配回路と同様にコイルと抵抗とコンデンサによる回路であり、一入力を複数出力に分配する回路である。或いはカスケード型としても良い。上述した配置とすることで、一の切換スイッチを制御すれば同じ第２グループに属する成膜チャンバーへの高周波供給を制御することが可能となる。また、この配置とするのは、第２分配回路で分岐させることで、成膜チャンバーの数を増やして生産性を向上させるためである。
【００８９】
また、図１３において、外部電極を複数一体型外部電極とすることが好ましい。図１６に具体的実施例を示す。一の外部電極に２つの独立した容器収納孔、例えば２４ａ、２４ｂを設け、円周方向に沿って複数列で配置する。この場合、外部電極を複数一体型外部電極とすることで、ほとんど大型化することなしに生産性を２倍に向上させることが可能となる。
【００９０】
[第２実施形態]
図１７に示すように、回転体支持体に配置する成膜チャンバーについて、相隣合う所定数の成膜チャンバーと複数の放電ユニットを形成させる。この放電ユニットは、回路上の組み合わせであって、成膜チャンバーを必ずしも構造的なユニットとするものではない。なお、図１７は、便宜上、回転支持体の配列順に成膜チャンバーを横に整列させて記載した。
【００９１】
このとき、高周波分配手段は、図１７に示すように、自動整合器から受けた高周波を放電ユニットのいずれか1つに供給する切換器と、切換器から供給された高周波を放電ユニット内の固定整合器に同時且つ均等に分配する放電ユニット分配回路とにより構成する。
【００９２】
切換器は、高周波を放電ユニットのいずれか1つに供給する一入力一複数切換である。例えば、図１７の切換器にある４つのリレーのうち、一つのリレーのみがスイッチオン状態となる回路である。
【００９３】
放電ユニット分配器は、前述した分配回路と同等の回路で、コイルと抵抗とコンデンサによる回路であり、一入力を複数出力に分配する回路である。
【００９４】
例えば、成膜チャンバーがｍ×ｎ個ある場合において、放電ユニットの数をｎ個とすると、一放電ユニット内の成膜チャンバーはｍ個となる関係が成立する。
【００９５】
本実施形態の高周波分配手段を採用すると、放電ユニット単位でそれぞれ独立して高周波供給のオン/オフを行なうことができる。
【００９６】
本実施形態において、具体的な実施例として高周波電源を２個、成膜チャンバーを３２個とした場合の回路を図１８に示す。放電ユニット内の成膜チャンバーは、４本である。図１８における略称は、前述と同様である。図１８の回路の場合において、回転支持体に配置した成膜チャンバーの配列を図１９に示した。さらにこの場合の高周波供給手段の回路を図２０に示した。すなわち、高周波電源をＡとＢの２個準備し、回転支持体における放電ユニットの配列順に高周波の供給を順次且つ循環して担当させる。すなわち、図１９及び図２０に示すように、成膜チャンバー1、２、３、４が形成する放電ユニット、成膜チャンバー５、６、７、８が形成する放電ユニット、…、成膜チャンバー２９、３０、３１、３２が形成する放電ユニットの配列順に対して、高周波電源Ａ、高周波電源Ｂ、…、高周波電源Ｂのように担当させる回路とする。この構成によると、ある放電ユニットの成膜チャンバーに高周波を供給開始する場合に、高周波供給中の放電ユニットの成膜チャンバーに対してコールドスイッチングを原因とする高周波供給の中断を行なわなくて良い。すなわち、図１９及び図２０のうち成膜チャンバー1、２、３、４が形成する放電ユニットについては、高周波電源Ａが担当して、成膜チャンバー1、２、３、４が形成する放電ユニットが成膜開始する時と、成膜チャンバー９、１０、１１、１２が形成する放電ユニットに対する高周波供給が終了する時が一致する。ところが、成膜チャンバー５、６、７、８が形成する放電ユニットについては、高周波電源Ｂが担当するので高周波電源Ａの出力オン/オフの影響を受けない。したがって、成膜時間の短縮化を招くことがない。
【００９７】
本実施形態において、さらに図２１に示すように、放電ユニットで一まとまりの成膜チャンバーは、同一円心の円周方向に沿って複数列で回転支持体に配置しても良い。このように配置することで、回転支持体の半径を小さくすることができる。例えば２列にした場合には、回転支持体の円周方向に整列する成膜チャンバーは１列の場合と比較して二分の一になり、回転支持体の半径を小さくすることが可能となる。
【００９８】
本実施形態において、別の具体的な実施例として高周波電源を４個、成膜チャンバーを３２個とした場合の回路を図２２に示す。放電ユニット内の成膜チャンバーは、２本である。図２２における略称は、前述と同様である。図２２の回路の場合において、回転支持体に配置した成膜チャンバーの配列を図２３に示した。さらにこの場合の高周波供給手段の回路を図２４に示した。すなわち、高周波電源をＡ、Ｂ、Ｃ及びＤの４個準備し、回転支持体における放電ユニットの配列順に高周波の供給を順次且つ循環して担当させる回路とする。すなわち、図２３及び図２４に示すように、成膜チャンバー1、２が形成する放電ユニット、成膜チャンバー３、４が形成する放電ユニット、成膜チャンバー５、６が形成する放電ユニット、成膜チャンバー７、８が形成する放電ユニット、…、成膜チャンバー３１、３２が形成する放電ユニットの配列順に対して、高周波電源Ａ、高周波電源Ｂ、高周波電源Ｃ、高周波電源Ｄ…、高周波電源Ｄのように担当させる回路とする。この構成によると、ある放電ユニットの成膜チャンバーに高周波を供給開始する場合に、高周波供給中の放電ユニットの成膜チャンバーに対してコールドスイッチングを原因とする高周波供給の中断を行なわなくて良い。すなわち、図２３及び図２４のうち成膜チャンバー３、４が形成する放電ユニットについては、高周波電源Ｂが担当する。成膜チャンバー３、４が形成する放電ユニットが成膜開始する時と、成膜チャンバー１１、１２が形成する放電ユニットＢへの高周波供給の終了の時が一致する。したがって成膜チャンバー５、６が形成する放電ユニットＣ、成膜チャンバー７、８が形成する放電ユニットＤ、成膜チャンバー９、１０が形成する放電ユニットＡについては、高周波電顕Ｃ、Ｄ、Ａがそれぞれ担当するので、高周波電源Ｂの出力オン/オフの影響を全く受けない。したがって、コールドスイッチングを原因とする成膜時間の短縮化は全くない。
【００９９】
本実施形態において、さらに図２５に示すように、放電ユニットで一まとまりの成膜チャンバーは、同一円心の円周方向に沿って複数列で回転支持体に配置しても良い。このように配置することで、回転支持体の半径を小さくすることができる。例えば２列にした場合には、回転支持体の円周方向に整列する成膜チャンバーは１列の場合と比較して二分の一になり、回転支持体の半径を小さくすることが可能となる。
【０１００】
また、図２３において、外部電極を複数一体型外部電極とすることが好ましい。図２６に具体的実施例を示す。一の外部電極に２つの独立した容器収納孔、例えば２４ａ、２４ｂを設け、円周方向に沿って複数列で配置する。この場合、外部電極を複数一体型外部電極とすることで、ほとんど大型化することなしに生産性を２倍に向上させることが可能となる。
【０１０１】
[第３実施形態]
回転体支持体に配置した成膜チャンバーについて、図３５に示すように相隣合う所定数の成膜チャンバーと複数の放電ユニットを形成させる。このとき、高周波電源の個数は放電ユニット内の所定数の成膜チャンバーと同数とする。成膜チャンバーの個数をｍ×ｎ個とすると、放電ユニットの個数はｎ個、高周波電源の個数はｍ個、放電ユニット内の成膜チャンバーはｍ個という関係が成立する。なお、この放電ユニットは、回路上の組み合わせであって、成膜チャンバーを必ずしも構造上ユニットとするものではない。
【０１０２】
さらに、高周波分配手段は、自動整合器から受けた高周波を放電ユニットの個数と同数に分岐させ、いずれか１つの放電ユニットに対してのみ高周波を供給する切換器を備える構成とする。
【０１０３】
すなわち切換器は、例えば放電ユニットが３ユニットある場合では、一の高周波電源の高周波を、第一放電ユニットの一の成膜チャンバー若しくは第二放電ユニットの一の成膜チャンバー若しくは第三放電ユニットの一の成膜チャンバーのいずれかに切り換えて供給する回路構成とする。
【０１０４】
本実施形態において、具体的な実施例として高周波電源を８個、成膜チャンバーを３２個とした場合の回路を図２７に示す。放電ユニット内の成膜チャンバーは８個である。放電ユニットの個数は４個である。図２７における略称は、前述と同様である。図２７の回路の場合において、回転支持体に配置した成膜チャンバーの配列を図２８に示した。さらにこの場合の高周波供給手段の回路を図２９に示した。すなわち図２８及び図２９に示すように、高周波電源をＡ、Ｂ、Ｃ、Ｄ、Ｅ、Ｆ、Ｇ、Ｈの８個を準備し、一の放電ユニット内の各成膜チャンバーそれぞれについて高周波電源をＡ、Ｂ、Ｃ、Ｄ、Ｅ、Ｆ、Ｇ、Ｈのいずれかが高周波供給の担当をする回路とする。そして、続く放電ユニット内の各成膜チャンバーそれぞれについて再び高周波電源をＡ、Ｂ、Ｃ、Ｄ、Ｅ、Ｆ、Ｇ、Ｈのいずれかが高周波供給の担当をする回路とする。この構成によると、一の放電ユニットの成膜チャンバーと高周波電源は一対一の関係が成立し、高周波供給中の放電ユニットの成膜チャンバーに対してコールドスイッチングを原因とする高周波供給の中断を行なわなくて良い。したがって、成膜時間の短縮化を招くことがない。さらに、第一実施形態及び第二実施形態よりも成膜時間を長くとることができる。
【０１０５】
本実施形態において、放電ユニットで一まとまりの成膜チャンバーは、同一円心の円周方向に沿って複数列で回転支持体に配置しても良い。このように配置することで、回転支持体の半径を小さくすることができる。例えば２列にした場合には、回転支持体の円周方向に整列する成膜チャンバーは１列の場合と比較して二分の一になり、回転支持体の半径を小さくすることが可能となる。
【０１０６】
本実施形態において、切換器の出力側に第２分配回路を接続し、第２分配回路の各出力側と各固定整合器とを接続して各外部電極に高周波を供給する接続としても良い。第２分配回路とは前述したものと同じであり、一入力を複数出力に分配する回路である。この場合、放電ユニットで一まとまりの成膜チャンバーを同一円心の円周方向に沿って複数列で回転支持体に配置してもよい。この配置するのは、生産性を第２分配回路で分岐させただけ生産性を向上させるためである。
【０１０７】
また、第一実施形態又は第二実施形態と同様に、外部電極を複数一体型外部電極とすることが好ましい。外部電極を複数一体型外部電極とすることで、ほとんど大型化することなしに生産性を２倍に向上させることが可能となる。
【０１０８】
各実施形態では、主に成膜チャンバーを３２個とした場合を想定して説明したが、本発明ではこれに限定されず、装置の規模に応じて成膜チャンバーの個数を適宜変更することができる。なお、この場合において、成膜チャンバーは電源数の倍数としたほうが効率は良い。
【０１０９】
次に、本発明のＣＶＤ膜連続成膜装置を用いて容器の内部にＤＬＣ膜を成膜する方法について説明する。まず、各実施形態において共通である製造サイクルについて説明し、ＤＬＣ膜を成膜する方法を述べる。
【０１１０】
まず、図２を用いて、成膜チャンバー内にプラスチック容器を装着する容器装着工程について説明する。成膜チャンバー内は、真空バルブ17を開いて大気開放されており、外部電極３の下部外部電極１が上部外部電極２から取り外された状態となっている。コンベア（不図示）から供給された未コーティングのプラスチック容器（図1の未成膜容器）を容器装着ハンドリング装置（不図示）によって抜き出し、図２に示すように、上部外部電極２の下側から上部外部電極２内の空間にプラスチック容器７を差し込み、設置する。この際、内部電極９はプラスチック容器７内に挿入された状態になる。次に、下部外部電極１を上部外部電極２の下部に装着し、外部電極３はＯリング８によって密閉される。
【０１１１】
次に、プラスチック容器７の内部を原料ガスに置換するとともに所定の成膜圧力に調整する成膜前ガス調整工程について説明する。図２に示すように、真空バルブ17を閉じた後、真空バルブ１８を開き、真空ポンプ２１を作動させる。これにより、プラスチック容器７内を含む成膜チャンバー６内が配管１３を通して排気され、成膜チャンバー６内が真空となる。このときの成膜チャンバー６内の圧力は２.６〜６６Ｐａ（２×１０-２〜５×１０-１Torr）である。
【０１１２】
次に、真空バルブ１６を開き、原料ガス発生源２０において炭化水素ガスを発生させ、この炭化水素ガスを配管２２内に導入し、マスフローコントローラー１９によって流量制御された炭化水素ガスを配管１１及びアース電位の内部電極９を通してガス吹き出しロ４９から吹き出す。これにより、炭化水素ガスがプラスチック容器７内に導入される。そして、成膜チャンバー６内とプラスチック容器７内は、制御されたガス流量と排気能力のバランスによって、ＤＬＣ成膜に適した圧力(例えば６.６〜６６５Ｐａ，０.０５〜５.００Torr程度)に保たれ、安定化させる。
【０１１３】
次に外部電極３に高周波出力を供給してプラスチック容器７内で原料ガスをプラズマ化させてプラスチック容器７の内表面にＤＬＣ膜を成膜するＣＶＤ成膜工程について説明する。ＣＶＤ成膜工程にある状態の成膜チャンバー６は、高周波供給手段によりRF出力(例えば１３.５６MHz)が供給される。これにより、外部電極３と内部電極９間にプラズマを着火する。このとき、自動整合器は、出力供給している電極全体からの反射波が最小になるように、インダクタンスＬ、キャパシタンスＣによってインピーダンスを合わせている。固定整合器は、同軸ケーブルのインピーダンスをプラズマのインピーダンスに変換している。これによって、プラスチック容器７内に炭化水素系プラズマが発生し、ＤＬＣ膜がプラスチック容器７の内表面に成膜される。このときの成膜時間は数秒程度と短いものとなる。次に、高周波供給手段からのＲＦ出力を停止し、プラズマを消滅させてＤＬＣ膜の成膜を終了させる。ほぼ同時に真空バルブ１６を閉じて原料ガスの供給を停止する。
【０１１４】
なお、ＣＶＤ成膜工程にある状態の成膜チャンバーは、放電ユニット単位で成膜を行なう場合には、放電ユニット内の成膜チャンバーが全て回転支持体のＣＶＤ成膜工程エリアに入るまで待機時間が設けられる。
【０１１５】
次に、コーティング済み容器の内部圧力を大気圧に戻す成膜後ガス調整工程について説明する。成膜チャンバー６内及びプラスチック容器７内に残存した炭化水素ガスを除くために、真空バルブ１８を開き、成膜チャンバー６内及びプラスチック容器７内の炭化水素ガスを真空ポンプ２１によって排気する。その後、真空バルブ１８を閉じ、排気を終了させる。このときの成膜チャンバー６内の圧力は６.６〜６６５Ｐａ（０.０５〜５.００Torr）である。この後、真空バルブ17を開く。これにより、空気が蓋５内の空間、外部電極３内の空間に入り、成膜チャンバー６内が大気開放される。
【０１１６】
次にコーティング済み容器を取り出す容器取出工程について説明する。外部電極３の下部外部電極１が上部外部電極２から取り外された状態とする。上部外部電極２内の空間に収納されているプラスチック容器７を上部外部電極２の下側から容器取出ハンドリング装置（不図示）によって取り出す。次にコーティング済み容器（図１の成膜済み容器）をコンベア（不図示）へ載せて搬出する。
【０１１７】
回転支持体に複数配置された成膜チャンバーが、回転支持体の回転角度に応じて順次、循環して製造サイクルを行なうことにより、ＤＬＣ膜コーティングプラスチック容器が量産される。
【０１１８】
次に、実施形態ごとに高周波供給手段の制御方法並びに成膜チャンバーそれぞれの関係についてについて説明する。
【０１１９】
[第１実施形態]
図１０及び図１１を参照しながら、複数の成膜チャンバーにてプラズマの着火状態が一部重複するように所定時間ずらして稼動させる成膜方法について説明する。成膜チャンバー３２が回転支持体の回転に伴ってＣＶＤ成膜工程エリアに入り、且つ成膜チャンバー１２がＣＶＤ成膜工程エリアから出る場合において、成膜チャンバー３２の成膜前ガス調整工程終了後に、高周波電源出力制御手段（不図示）の指示により高周波電源Ｂの出力をオフ状態とする。次いで高周波電源Ｂから成膜チャンバー３２の外部電極までに至る回路を導通状態とする。これは図１１の成膜チャンバー３２に対応する切換スイッチをオンとすることにより実現する。次に高周波電源出力制御手段の指示により高周波電源Ｂの出力をオン状態とする。このとき成膜チャンバー３２の外部電極に対して、成膜チャンバー２、４、６、８、１０と同様の高周波を同時且つ均等に分配して、成膜チャンバー３２にてＣＶＤ成膜工程を開始させる。なお、成膜チャンバー２、４、６、８、１０はＣＶＤ成膜工程の過程内にある。ここで、高周波電源出力制御手段の指示とは、回転支持体の回転角度により各工程の状態を把握し、検知して制御することをいう。
【０１２０】
所定成膜時間経過後、高周波電源Ｂの出力を高周波電源出力制御手段の指示によりオフ状態とする。次いで高周波電源Ｂから成膜チャンバー３２の外部電極までに至る回路を遮断状態とする。これは図１１の成膜チャンバー３２に対応する切換スイッチをオフとすることにより実現する。同時に高周波電源Ｂから成膜チャンバー２０の外部電極までに至る回路を導通状態とする。これは図１１の成膜チャンバー２０に対応する切換スイッチをオンとすることにより実現する。次に高周波電源Ｂの出力を高周波電源出力制御手段の指示によりオン状態として、成膜チャンバー３２においてプラズマを消滅させてＣＶＤ成膜工程を終了させる。同時に成膜チャンバー２０においてＣＶＤ成膜工程を開始させる。
【０１２１】
このように成膜チャンバーを回転支持体の回転に合わせて、成膜チャンバー単位で製造サイクルを1ずつ、ずらしながら順次稼動させる。この所定のずれ時間よりも成膜時間を長く取るため、複数の成膜チャンバーにて同時にプラズマが着火しうる。この場合、完全に同一製造サイクルを進んでいる成膜チャンバーの組み合わせはない。
【０１２２】
なお、成膜チャンバー３０、２８、２６、２４…が順次ＣＶＤ成膜工程に入る際に、上述した高周波電源Ｂの出力がオン/オフされるため、ＣＶＤ成膜工程ゾーンにある高周波電源Ｂから高周波供給を受ける成膜チャンバーにおいても、オン/オフ切換に伴う所定時間、ＣＶＤ成膜が中断する。すなわち、プラズマが着火、消滅を繰り返すこととなる。この中断時間が、成膜時間のロスタイムとなる。ただし、本実施形態では高周波電源をＡ、Ｂの２個使用しているため、高周波電源Ｂのオン/オフと高周波電源Ａのオン/オフは、独立制御となる。したがって、高周波電源Ａが高周波を供給する成膜チャンバーについて（例えば、図１０の成膜チャンバー１、３、５、７、９、１１）高周波電源Ｂのオン/オフに伴う成膜時間のロスタイムはない。
【０１２３】
各成膜チャンバーにおける製造サイクルの進め具合を図３０に示した。横軸の角度は回転支持体の回転角度である。この回転角度は、図１０に図示した０°を基準としている。本実施例ではこの回転角度によって、製造サイクルを進めている。図中の斜線部がＣＶＤ成膜工程にある状態を示している。
【０１２４】
図１３及び図１４の構成について、高周波電源を４個使用した場合の各成膜チャンバーにおける製造サイクルの進め具合を図３１に示した。高周波電源を２個から４個へ増やしたため、コールドスイッチング切り換えに基づく断続回数が減り、成膜時間のロスタイムが少なくなる。
【０１２５】
[第２実施形態]
図１９及び図２０を参照しながら、複数同タイミングで進行する放電ユニット単位で稼動させ、且つ相異なる放電ユニット間でプラズマの着火が重複しないように所定時間ずらして放電ユニットごとに前記各工程を進める成膜方法について説明する。成膜チャンバー１、２、３、４が形成する放電ユニットが回転支持体の回転に伴ってＣＶＤ成膜工程エリアに入り、且つ成膜チャンバー９、１０、１１、１２が形成する放電ユニットがＣＶＤ成膜工程エリアから出る場合において、成膜チャンバー１、２、３、４が形成する放電ユニットの成膜前ガス調整工程終了後に、高周波電源出力制御手段（不図示）の指示により高周波電源Ａの出力をオフ状態とする。次いで高周波電源Ａから成膜チャンバー１、２、３、４が形成する放電ユニットの各外部電極までに至る回路を導通状態とする。これは図２０の成膜チャンバー１、２、３、４に対応する切換スイッチをオンとすることにより実現する。次に高周波電源出力制御手段の指示により高周波電源Ａの出力をオン状態とする。このとき成膜チャンバー１、２、３、４の各外部電極に対して高周波を同時且つ均等に分配して、成膜チャンバー１、２、３、４を形成する放電ユニットにおいてのみＣＶＤ成膜工程を開始させる。
【０１２６】
所定成膜時間経過後、高周波電源Ａの出力を高周波電源出力制御手段の指示によりオフ状態とする。次いで高周波電源Ａから成膜チャンバー１、２、３、４の外部電極までに至る回路を遮断状態とする。これは図２０の成膜チャンバー１、２、３、４に対応する切換スイッチをオフとすることにより実現する。同時に高周波電源Ａから成膜チャンバー２５、２６、２７、２８の外部電極までに至る回路を導通状態とする。これは図２０の成膜チャンバー２５、２６、２７、２８に対応する切換スイッチをオンとすることにより実現する。次に高周波電源Ａの出力を高周波電源出力制御手段の指示によりオン状態として、成膜チャンバー１、２、３、４が形成する放電ユニットにおいてプラズマを消滅させてＣＶＤ成膜工程を終了させる。同時に成膜チャンバー２５、２６、２７、２８が形成する放電ユニットにおいてのみＣＶＤ成膜工程を開始させる。
【０１２７】
このように放電ユニットを回転支持体の回転に合わせて、製造サイクルを放電ユニット単位で1ずつ、ずらしながら順次稼動させる。したがって、相異なる放電ユニット間で同時にプラズマを着火させない。所定時間ずらして放電ユニットごとにＣＶＤ成膜工程を進めることとなる。
【０１２８】
本実施形態では高周波電源をＡ、Ｂの２個使用しているため、高周波電源Ｂのオン/オフと高周波電源Ａのオン/オフは、独立制御となる。したがって、高周波電源Ａが高周波を供給する放電ユニットの成膜チャンバーについて高周波電源Ｂのオン/オフに伴う成膜時間のロスタイムはない。
【０１２９】
各放電ユニットにおける製造サイクルの進め具合を図３２に示した。横軸の角度は回転支持体の回転角度である。この回転角度は、図１９に図示した０°を基準としている。本実施例ではこの回転角度によって、製造サイクルを進めている。図中網掛け部は、待機エリアの状態を示している。
【０１３０】
図２３及び図２４の構成について、高周波電源を４個使用した場合の各放電ユニットの成膜チャンバーにおける製造サイクルの進め具合を図３３に示した。高周波電源を２個から４個へ増やしたため、電源容量を減らすことができる。
【０１３１】
[第３実施形態]
図２８及び図２９を参照しながら、複数同タイミングで進行する放電ユニット単位で稼動させ、且つ相異なる放電ユニット間でプラズマの着火が重複しないように所定時間ずらして放電ユニットごとに前記各工程を進める成膜方法の別形態について説明する。成膜チャンバー２９、３０、３１、３２、１、２、３、４が形成する放電ユニットが回転支持体の回転に伴ってＣＶＤ成膜工程エリアに入り、且つ成膜チャンバー５、６、７、8、９、１０、１１、１２が形成する放電ユニットがＣＶＤ成膜工程エリアから出る場合において、成膜チャンバー２９、３０、３１、３２、１、２、３、４が形成する放電ユニットの成膜前ガス調整工程終了後に、高周波電源出力制御手段（不図示）の指示により全ての高周波電源の出力をオフ状態とする。次いで高周波電源から成膜チャンバー２９、３０、３１、３２、１、２、３、４が形成する放電ユニットの各外部電極までに至る回路を導通状態とする。これは図２９の成膜チャンバー２９、３０、３１、３２、１、２、３、４に対応する切換スイッチをオンとすることにより実現する。次に高周波電源出力制御手段の指示により全ての高周波電源の出力をオン状態とする。このとき成膜チャンバー２９、３０、３１、３２、１、２、３、４の各外部電極に対して各高周波電源が一対一で高周波を供給し、この放電ユニットにおいてのみＣＶＤ成膜工程を開始させる。
【０１３２】
所定成膜時間経過後、全ての高周波電源の出力を高周波電源出力制御手段の指示によりオフ状態とする。次いで高周波電源から成膜チャンバー２９、３０、３１、３２、１、２、３、４の外部電極までに至る回路を遮断状態とする。これは図２９の成膜チャンバー２９、３０、３１、３２、１、２、３、４に対応する切換スイッチをオフとすることにより実現する。同時に高周波電源から成膜チャンバー２１、２２、２３、２４、２５、２６、２７、２８の外部電極までに至る回路を導通状態とする。これは図２９の成膜チャンバー２１、２２、２３、２４、２５、２６、２７、２８に対応する切換スイッチをオンとすることにより実現する。次に全ての高周波電源の出力を高周波電源出力制御手段の指示によりオン状態として、成膜チャンバー２９、３０、３１、３２、１、２、３、４が形成する放電ユニットにおいてプラズマを消滅させてＣＶＤ成膜工程を終了させる。同時に成膜チャンバー２１、２２、２３、２４、２５、２６、２７、２８が形成する放電ユニットにおいてのみＣＶＤ成膜工程を開始させる。
【０１３３】
このように放電ユニットを回転支持体の回転に合わせて、製造サイクルを放電ユニット単位で1ずつ、ずらしながら順次稼動させる。したがって、相異なる放電ユニット間で同時にプラズマを着火させない。所定時間ずらして放電ユニットごとにＣＶＤ成膜工程を進めることとなる。
【０１３４】
本実施形態では高周波電源と成膜チャンバーを一対一で接続しているため、高周波電源のオン/オフに伴う成膜時間のロスタイムはない。
【０１３５】
各放電ユニットにおける製造サイクルの進め具合を図３４に示した。横軸の角度は回転支持体の回転角度である。この回転角度は、図２８に図示した０°を基準としている。本実施例ではこの回転角度によって、製造サイクルを進めている。
【０１３６】
第１実施形態、第２実施形態及び第３実施形態で説明したように、成膜チャンバーを回転支持体にサークル状に複数配設し、回転支持体が一定速度で１周する間に製造サイクルを行なうことによって、図３０乃至図３４に示したような循環的に製造サイクルを稼動させることができる。
【０１３７】
さらに、どの実施形態においても、単に全ての成膜チャンバーに同時に均等の高周波をかけるのではなく、回転支持体の成膜チャンバーうち、一部の成膜チャンバーに対して、均等の高周波を同時或いはタイミングをずらして供給することができる。
【０１３８】
表１〜３に、各実施形態と成膜時間、電源数等との関係を具体的に示す。放電可能時間は次のように求めた。回転支持体の1回転に要する時間を1周期T = 8.5秒とする。例えば、実施例1の場合、一円周上に配置される成膜チャンバー数n = 32本とすると、給ビン間隔t は、式１で表される。
【式１】
0003679067.tif 000002
さらに成膜工程外時間を５.５秒、成膜工程時間を３秒とすると、回転支持体の回転角度に換算して、ＣＶＤ成膜工程エリアθは、式２で表される。
【式２】
0003679067.tif 000003
また、ＣＶＤ成膜工程エリアに入る成膜チャンバーの数は式３で表される。
【式３】
0003679067.tif 000004
さらに、ＣＶＤ成膜工程エリアにある成膜チャンバーであっても、放電可能な成膜チャンバーは各実施例で異なる。１個の成膜チャンバー全体若しくは1つの放電ユニットが入りきるまでは放電できないため、放電待機時間が必要となるからである。表１〜３には各実施例において、待機状態の成膜チャンバー数を除いた本数である、放電可能状態の成膜チャンバー数ｎdisを示している。そして、放電可能時間ｔdisは、式４で求められる。ただし、Lは同一円心の円周方向に配置する成膜チャンバーの列数(列)である。
【式４】
0003679067.tif 000005
次に、放電可能状態の成膜チャンバーが実際にプラズマを放電できる時間は、コールドスイッチングを行なうための高周波電源の出力オンオフに伴うロス時間を差し引くことが必要である。このときリレー切り換え時間tsw は、0.05秒とする。ｗはコールドスイッチングの断続回数、すなわち切り換える回数である。すると実放電時間trealは、式５で表すことができる。
【式５】
0003679067.tif 000006
なお、表1〜３には、１時間あたりの生産本数を生産性として評価し、リレー寿命の評価も載せた。リレー寿命については、ホットスイッチングでは×、コールドスイッチングでは○としている。
【１３９】
【表１】
0003679067.tif 000007
【表２】
0003679067.tif 000008
【表３】
0003679067.tif 000009
【０１４０】
表１〜３では、チャンバー数を３２としたが装置規模によって適宜変更可能であり、電源数、一の放電ユニット内の成膜チャンバー数等、表1〜３の縦軸項目を適宜変更する。すなわち、成膜チャンバーの個数を指標として、装置の規模を決めるが、成膜時間と電源等の総コストとの関係で、最適な実施形態の回路構成を選択する。
【０１４１】
比較例１はホットスイッチングであり、リレーの消耗が激しく実用に耐えない。実施例１〜３では、電源数を増やすことで、断続回数を減らし、実放電時間を延ばすことができる。実施例４は、実放電時間については実施例１と同等であるが、生産性を倍増させることができる。実施例５は、実放電時間については実施例３と同等であるが、生産性を倍増させることができる。実施例６と８は、放電ユニットを形成する形態（第２の実施形態）である。実施例１〜５の場合と比較してリレーの数を減らすことができ、電源数×電源容量の値を小さくすることができるので、装置を安価とすることができる。ただし実放電時間が短縮する。実施例７、９は基本スペック（実放電時間及び生産性）は実施例６、８とそれぞれ同等であるが、装置をコンパクト化できるメリットがある。実施例１０は実施例８と比較して、生産性を倍増させることができる。実施例１１は、第３の実施形態である。実放電時間と生産性は例えば実施例６と同等を実現している。この形態は、電源数を増やすことで、放電時間を延長することができることが特徴である。例えば表には掲載しないが、電源数１２、一円周上に配置される成膜チャンバーの数を３６とすると、１６÷３２＝０.５、すなわち回転周期T＝８.５秒の場合には８.５×０.５＝４.２５秒が実放電時間となる。実施例１２は、実施例１１と比較して基本スペックを同等に保ちながら、装置をコンパクト化できる。実施例１３、１４は生産性をさらに倍増できる。
【０１４２】
本実施の形態では、内部に薄膜を成膜する容器として飲料用のＰＥＴボトルを用いているが、他の用途に使用される容器を用いることも可能である。
【０１４３】
また、本実施の形態では、ＣＶＤ成膜装置で成膜する薄膜としてＤＬＣ膜又はSi含有ＤＬＣ膜を挙げているが、容器内に他の薄膜を成膜する際に上記成膜装置を用いることも可能である。
【０１４４】
ＤＬＣ膜の膜厚は０．００３〜５μｍとなるように形成する。
【０１４５】
【発明の効果】
本発明により、回転支持体が一周する間に、成膜チャンバーが一製造サイクルを行なうタイプの装置であって小型、安価且つ量産効率の高いＣＶＤ成膜装置、特に容器の内表面にＣＶＤ膜を成膜するロータリー型量産装置を提供することができた。この装置は、全ての成膜チャンバーを同時に真空引きするほどの高度な真空引きの能力を必要としない、回転支持体の回転慣性に逆らった制御をしないため、無駄な動力を必要としない、一製造サイクル時間に対してＣＶＤ成膜時間を長時間とることができる、成膜工程外時間を短縮でき量産効率が高い、成膜チャンバーの個数に対して高周波電源の個数を少なくできる、全ての成膜チャンバーで同時成膜させる成膜装置と比較して高周波電源の必要とされる出力を小さくできる、対象の外部電極のみに一定強度の高周波を送る際にスムーズに高周波を分配切り換えすること、をも同時に実現している。さらに、高周波供給手段のリレーの長寿命化を図り、装置メンテナンスを容易とすることができた。
【０１４６】
第一形態のロータリー型量産用ＣＶＤ成膜装置において、高周波供給対象の外部電極を個々に制御することを可能とし、同時に複数の外部電極に対しても均等な高周波を供給できた。
【０１４７】
さらに、第一形態のロータリー型量産用ＣＶＤ成膜装置において、コールドスイッチングする際に高周波電源をオフとすることによる成膜時間の短縮を防止し、高周波供給可能時間の延長をすることができた。
【０１４８】
また、第一形態のロータリー型量産用ＣＶＤ成膜装置において、使用する高周波電源数を増やすことなく、しかも装置の大型化を伴うことなく、装置の生産性を２倍以上にすることができた。
【０１４９】
第二形態のロータリー型量産用ＣＶＤ成膜装置において、高周波供給対象の外部電極を放電ユニット単位で制御し、同時に異なる放電ユニットに対して均等な高周波を供給することができた。
【０１５０】
また第二形態のロータリー型量産用ＣＶＤ成膜装置において、コールドスイッチングする際に高周波電源をオフとすることによる成膜時間の短縮を防止し、高周波供給可能時間の延長をすることができた。
【０１５１】
さらに第二形態のロータリー型量産用ＣＶＤ成膜装置において、装置をよりコンパクトにすることができた。例えば２列にした場合には、回転支持体の円周方向に整列する成膜チャンバーは１列の場合と比較して二分の一になり、回転支持体の半径を小さくすることができた。
【０１５２】
第三形態のロータリー型量産用ＣＶＤ成膜装置において、コールドスイッチングによる成膜時間の短縮を完全に防止することができた。
【０１５３】
上記第三形態のロータリー型量産用ＣＶＤ成膜装置において、使用する高周波電源数を増やすことなく、しかも装置の大型化を伴うことなく、装置の生産性を２倍以上にすることができた。
【０１５４】
上記第三形態のロータリー型量産用ＣＶＤ成膜装置においても、装置をよりコンパクトにすることができた。前述と同様に２列にした場合には、回転支持体の円周方向に整列する成膜チャンバーは１列の場合と比較して二分の一になり、回転支持体の半径を小さくすることができた。
【０１５５】
全ての形態のロータリー型量産用ＣＶＤ成膜装置において、複数一体型外部電極とすることで、高周波電源から固定整合器に至る回路を変えることなく、生産性を２倍以上にすることができた。
【０１５６】
全ての形態のロータリー型量産用ＣＶＤ成膜装置において、プラズマを素早く着火して、成膜時間のロスを防止することができた。
【０１５７】
全ての形態のロータリー型量産用ＣＶＤ成膜装置において、ＤＬＣ膜を成膜するのに適した装置を提供することができた。
【０１５８】
本発明は、第1のプラスチック容器内表面へのＣＶＤ膜成膜方法において、製造サイクルを順次連続して稼動させる際に、成膜時間を確保し、且つ高周波電源の必要数を減らして稼動させることができた。
【０１５９】
また、第1のプラスチック容器内表面へのＣＶＤ膜成膜方法において、製造サイクルを順次連続して稼動させる際に、切換器の寿命を短期化させずに切換器のメンテナンスを長時間フリーにすることができた。
【０１６０】
本発明は、第２のプラスチック容器内表面へのＣＶＤ膜成膜方法において、放電ユニットごとに製造サイクルを順次連続して稼動させる際に、成膜時間を確保し、且つ高周波電源の必要数を減らして稼動させることができた。
【０１６１】
また、第２のプラスチック容器内表面へのＣＶＤ膜成膜方法において、放電ユニットごとに製造サイクルを順次連続して稼動させる際に、切換器の寿命を短期化させずに切換器のメンテナンスを長時間フリーにすることができた。
【０１６２】
第３のプラスチック容器内表面へのＣＶＤ膜成膜方法において、製造サイクルを順次連続して稼動させる際に、切換器の寿命を短期化させずに切換器のメンテナンスを長時間フリーにすることができた。
【０１６３】
第１、第２及び第３のプラスチック容器内表面へのＣＶＤ膜成膜方法において、ロータリー型成膜装置にて制御する際に製造サイクルを回転支持体が１周する間に行なうことで、製造サイクルを回転支持体の回転角度に応じて制御し、さらに容器の装着又は取出をする際に複雑な制御せずにそれぞれ１箇所で行なうことができた。
【０１６４】
また、第１、第２及び第３のプラスチック容器内表面へのＣＶＤ膜成膜方法において、コールドスイッチングする際に高周波電源をオフとすることによる成膜時間の短縮を防止、高周波供給可能時間の延長をすることができた。
【０１６５】
原料ガスとして炭化水素系ガス若しくはＳｉ含有炭化水素系ガスを使用し、ＣＶＤ膜としてＤＬＣ膜を成膜することで、ＤＬＣ膜を成膜するのに適したプラスチック容器内表面へのＣＶＤ膜成膜方法を提供することができた。
【０１６６】
本発明によって、単に全ての成膜チャンバーに同時に均等の高周波をかけるのではなく、回転支持体の成膜チャンバーうち、一部の成膜チャンバーに対して、均等の高周波を同時或いはタイミングをずらして供給することができた。
【図面の簡単な説明】
【図１】本発明のロータリー型量産用ＣＶＤ成膜装置の一形態を示す模式図である。
【図２】本発明のロータリー型量産用ＣＶＤ成膜装置において成膜チャンバーの基本構成の一形態を示す模式図である。
【図３】本発明において４本のプラスチック容器を同時にＤＬＣ膜コーティング可能な一柱体からなる複数一体型外部電極の一形態を示す模式図である。
【図４】複数のプラスチック容器を同時にコーティング可能な複数一体型外部電極を有するDLC膜コーティングプラスチック容器のＣＶＤ製膜装置を示す模式図である。
【図５】複数一体型外部電極のB-B’横断面図である。
【図６】本発明のロータリー型量産用ＣＶＤ成膜装置において高周波供給手段の基本構成の一形態を示す概念図である。
【図７】第１実施形態のロータリー型量産用ＣＶＤ成膜装置において高周波供給手段の基本構成を示す概念図である。
【図８】分配回路図の一形態を示す図であり、パラレル型とカスケード型を示したものである。
【図９】第１実施形態のロータリー型量産用ＣＶＤ成膜装置において回路図を示す図（高周波電源２個）である。
【図１０】第１実施形態のロータリー型量産用ＣＶＤ成膜装置において回転支持体での成膜チャンバーの配列（高周波電源２個）を示す図である。
【図１１】第１実施形態のロータリー型量産用ＣＶＤ成膜装置において高周波供給手段の回路図（高周波電源２個）を示す図である。
【図１２】第１実施形態のロータリー型量産用ＣＶＤ成膜装置において回路図の別形態（高周波電源４個）を示す図である。
【図１３】第１実施形態のロータリー型量産用ＣＶＤ成膜装置において回転支持体での成膜チャンバーの配列の別形態（高周波電源４個）を示す図である。
【図１４】第１実施形態のロータリー型量産用ＣＶＤ成膜装置において高周波供給手段の回路図（高周波電源４個）の別形態を示す図である。
【図１５】第１実施形態のロータリー型量産用ＣＶＤ成膜装置において高周波供給手段の基本構成の別形態を示す概念図である。
【図１６】第１実施形態のロータリー型量産用ＣＶＤ成膜装置において外部電極として複数一体型外部電極とした場合の回転支持体での成膜チャンバーの配列（高周波電源２個）を示す図である。
【図１７】第２実施形態のロータリー型量産用ＣＶＤ成膜装置において高周波供給手段の基本構成を示す概念図である。
【図１８】第２実施形態のロータリー型量産用ＣＶＤ成膜装置において回路図（高周波電源２個、放電ユニット内の成膜チャンバー４個）を示す図である。
【図１９】第２実施形態のロータリー型量産用ＣＶＤ成膜装置において回転支持体での成膜チャンバーの配列（高周波電源２個、放電ユニット内の成膜チャンバー４個）を示す図である。
【図２０】第２実施形態のロータリー型量産用ＣＶＤ成膜装置において高周波供給手段の回路図（高周波電源２個、放電ユニット内の成膜チャンバー４個）を示す図である。
【図２１】第２実施形態のロータリー型量産用ＣＶＤ成膜装置において回転支持体での成膜チャンバーの配列の別形態（高周波電源２個、放電ユニット内の成膜チャンバー４個）を示す図である。
【図２２】第２実施形態のロータリー型量産用ＣＶＤ成膜装置において回路図の別形態（高周波電源４個、放電ユニット内の成膜チャンバー２個）を示す図である。
【図２３】第２実施形態のロータリー型量産用ＣＶＤ成膜装置において回転支持体での成膜チャンバーの配列の別形態（高周波電源４個、放電ユニット内の成膜チャンバー２個）を示す図である。
【図２４】第２実施形態のロータリー型量産用ＣＶＤ成膜装置において高周波供給手段の回路図の別形態（高周波電源４個、放電ユニット内の成膜チャンバー２個）を示す図である。
【図２５】第２実施形態のロータリー型量産用ＣＶＤ成膜装置において回転支持体での成膜チャンバーの配列の別形態（高周波電源４個、放電ユニット内の成膜チャンバー２個）を示す図である。
【図２６】第２実施形態のロータリー型量産用ＣＶＤ成膜装置において外部電極として複数一体型外部電極とした場合の回転支持体での成膜チャンバーの配列（高周波電源４個、放電ユニット内の成膜チャンバー２個）を示す図である。
【図２７】第３実施形態のロータリー型量産用ＣＶＤ成膜装置において回路図（高周波電源８個、放電ユニット内の成膜チャンバー８個）を示す図である。
【図２８】第３実施形態のロータリー型量産用ＣＶＤ成膜装置において回転支持体での成膜チャンバーの配列（高周波電源８個、放電ユニット内の成膜チャンバー８個）を示す図である。
【図２９】第３実施形態のロータリー型量産用ＣＶＤ成膜装置において回路図（高周波電源８個、放電ユニット内の成膜チャンバー８個）を示す図である。
【図３０】図１０における各成膜チャンバーにおける製造サイクルの進め方の具体例を示す図である。
【図３１】図１３における各成膜チャンバーにおける製造サイクルの進め方の具体例を示す図である。
【図３２】図１９における各成膜チャンバーにおける製造サイクルの進め方の具体例を示す図である。
【図３３】図２３における各成膜チャンバーにおける製造サイクルの進め方の具体例を示す図である。
【図３４】図２８における各成膜チャンバーにおける製造サイクルの進め方の具体例を示す図である。
【図３５】第３実施形態のロータリー型量産用ＣＶＤ成膜装置において高周波供給手段の基本構成を示す概念図である。
【符号の説明】
1,下部外部電極
2,上部外部電極
3,外部電極
4a,絶縁部材
4b,導電部材
5,蓋
6,成膜チャンバー、
7,7a,7b,7c,7d,プラスチック容器
8,Ｏリング
9,9a,9b,9c,9d,内部電極
10,11,22,配管
14,自動整合器
15,高周波電源(RF電源)
16,17,18,真空バルブ
19,マスフローコントローラー
20,原料ガス発生源
21,真空ポンプ、
27,リークガス（空気）供給源
28,真空計
29,排気ダクト
30,高周波出力供給ロット
32,高周波出力供給ロット接続コンタクト
41,原料ガス導入手段
49,49a,49bガス吹き出し口
χ1複数一体型外部電極の中心
χ2,χ3,χ4高周波出力供給点
X,複数一体型外部電極中心軸
7ax,7bx,7cx,7 dxプラスチック容器7a〜7dの収納空間の中心点
【図１】
0003679067.tif 000010
【図２】
0003679067.tif 000011
【図３】
0003679067.tif 000012
【図４】
0003679067.tif 000013
【図５】
0003679067.tif 000014
【図６】
0003679067.tif 000015
【図７】
0003679067.tif 000016
【図８】
0003679067.tif 000017
【図９】
0003679067.tif 000018
【図１０】
0003679067.tif 000019
【図１１】
0003679067.tif 000020
【図１２】
0003679067.tif 000021
【図１３】
0003679067.tif 000022
【図１４】
0003679067.tif 000023
【図１５】
0003679067.tif 000024
【図１６】
0003679067.tif 000025
【図１７】
0003679067.tif 000026
【図１８】
0003679067.tif 000027
【図１９】
0003679067.tif 000028
【図２０】
0003679067.tif 000029
【図２１】
0003679067.tif 000030
【図２２】
0003679067.tif 000031
【図２３】
0003679067.tif 000032
【図２４】
0003679067.tif 000033
【図２５】
0003679067.tif 000034
【図２６】
0003679067.tif 000035
【図２７】
0003679067.tif 000036
【図２８】
0003679067.tif 000037
【図２９】
0003679067.tif 000038
【図３０】
0003679067.tif 000039
【図３１】
0003679067.tif 000040
【図３２】
0003679067.tif 000041
【図３３】
0003679067.tif 000042
【図３４】
0003679067.tif 000043
【図３５】
0003679067.tif 000044